(57)【特許請求の範囲】
【請求項１】
イベントの時間および位置情報を含むイベントスケジュールを示すイベントスケジュール領域と、上記イベントスケジュールに関する移動スケジュールを示す、画面上において動的に編集可能な、移動スケジュール領域と、を表示部に表示させるスケジュール領域表示手段と、
上記移動スケジュール領域の編集に基づき変更した移動スケジュールを取得する移動スケジュール取得手段と、
を備えたことを特徴とする、情報処理システム。
【請求項２】
請求項１に記載の情報処理システムであって、
上記移動スケジュール取得手段は、
上記移動スケジュール領域が動的に編集された場合、編集後の表示位置に基づく上記移動スケジュールを、交通網を規定するネットワーク情報を用いて生成することを特徴とする、情報処理システム。
【請求項３】
請求項１または２に記載の情報処理システムであって、
上記スケジュール領域表示手段は、
更に、タイムテーブルに関するタイムテーブル情報を上記表示部に表示させることを特徴とする、情報処理システム。
【請求項４】
請求項１乃至３のいずれか一つに記載の情報処理システムにおいて、
上記スケジュール領域表示手段は、
上記イベントスケジュール領域を上記表示部に表示させ、上記移動スケジュール領域を、所要時間が平均値となる上記移動スケジュールの場合の表示サイズで上記イベントスケジュール領域間に表示させることを特徴とする、情報処理システム。
【請求項５】
請求項１乃至３のいずれか一つに記載の情報処理システムにおいて、
上記スケジュール領域表示手段は、
上記イベントスケジュール領域を上記表示部に表示させ、上記移動スケジュール領域を、所要時間が最大値となる上記移動スケジュールの場合の表示サイズで上記イベントスケジュール領域間に表示させることを特徴とする、情報処理システム。
【請求項６】
請求項１乃至３のいずれか一つに記載の情報処理システムにおいて、
上記スケジュール領域表示手段は、
上記イベントスケジュール領域を上記表示部に表示させ、上記移動スケジュール領域を、所要時間が最小値となる上記移動スケジュールの場合の表示サイズで上記イベントスケジュール領域間に表示させることを特徴とする、情報処理システム。
【請求項７】
請求項１乃至６のいずれか一つに記載の情報処理システムにおいて、
上記スケジュール領域表示手段は、
上記イベントスケジュール領域を上記表示部に表示させ、複数に分割された上記移動スケジュール領域を上記イベントスケジュール領域間に表示させることを特徴とする、情報処理システム。
【請求項８】
請求項１乃至３のいずれか一つに記載の情報処理システムにおいて、
上記スケジュール領域表示手段は、
上記イベントスケジュール領域を上記表示部に表示させ、所要時間が最小となる上記移動スケジュールを示す上記移動スケジュール領域を上記イベントスケジュール領域間に表示させることを特徴とする、情報処理システム。
【請求項９】
コンピュータを、
イベントの時間および位置情報を含むイベントスケジュールを示すイベントスケジュール領域と、上記イベントスケジュールに関する移動スケジュールを示す、画面上において動的に編集可能な、移動スケジュール領域と、を表示部に表示させるスケジュール領域表示手段、
上記移動スケジュール領域の編集に基づき変更した移動スケジュールを取得する移動スケジュール取得手段、
として機能させることを特徴とする情報処理プログラム。
【請求項１０】
通信可能に接続された複数のコンピュータによって、請求項１乃至８のいずれかに記載の情報処理システムを機能させるために、
上記コンピュータのうちの１つを請求項１乃至８のいずれかに記載の情報処理システムにおける各手段の少なくとも１つとして機能させるための情報処理プログラム。
【請求項１１】
コンピュータを、請求項１乃至８のいずれかに記載の情報処理システムにおける各手段の少なくとも１つとして機能させるための情報処理プログラム。
【請求項１２】
イベントの時間および位置情報を含むイベントスケジュールを示すイベントスケジュール領域と、上記イベントスケジュールに関する移動スケジュールを示す、画面上において動的に編集可能な、移動スケジュール領域と、を表示部に表示させるスケジュール領域表示ステップと、
上記移動スケジュール領域の編集に基づき変更した移動スケジュールを取得する移動スケジュール取得ステップと、
を備えることを特徴とする情報処理方法。
【発明の詳細な説明】
【技術分野】
【０００１】
本発明は、情報処理システム、情報処理方法、および、情報処理プログラムに関する。
【背景技術】
【０００２】
従来から、スケジュールを管理する技術が開示されている。
【０００３】
例えば、特許文献１に記載の情報提供方法においては、日時および場所が登録されたスケジュール情報に対して、一つのスケジュールからその次のスケジュールに間に合うように経路探索を行い、ユーザに通知を行う技術が開示されている。
【０００４】
また、特許文献２に記載のスケジュール管理システムにおいては、スケジュール登録されたイベント情報から、イベント開始時刻よりも前になるように到着時刻を決定したうえで、スケジュール間の移動経路を提示する技術が開示されている。
【先行技術文献】
【特許文献】
【０００５】
【特許文献１】特開２００３−１４４８０号公報
【特許文献２】特開２００９−９８７８１号公報
【発明の概要】
【発明が解決しようとする課題】
【０００６】
しかしながら、特許文献１に記載の従来の情報提供方法においては、登録したスケジュールにちょうど間に合うように経路案内が実施されるため、スケジュール開始前に余裕をもって到着した場合の調整ができないので、当該調整を行うためには登録したスケジュールの開始時間を早める処理が必要となるという問題点を有していた。
【０００７】
また、特許文献２に記載の従来のスケジュール管理システムにおいては、到着時刻をスケジュールの開始時刻前を対象としているため、イベントの途中から参加したい場合等に、イベント開始後の時間を到着時間に指定するような柔軟な設定ができないという問題点を有していた。
【０００８】
すなわち、これら従来のシステムにおいては、移動用スケジュールの到着時刻を早める等の再編集をする場合、時刻を再入力する等の必要があり操作が煩雑になるという問題点を有していた。
【０００９】
本発明は、上記問題点に鑑みてなされたもので、移動用のスケジュールをユーザが容易に編集できるスケジュール管理装置、スケジュール管理システム、スケジュール管理サーバ、スケジュール管理方法、および、プログラムを提供することを目的とする。
【課題を解決するための手段】
【００１０】
このような目的を達成するため、本発明のスケジュール管理装置は、表示部と入力部と制御部と記憶部とを少なくとも備えたスケジュール管理装置であって、上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記制御部は、上記スケジュール記憶手段に記憶された２つの上記イベントスケジュール間の移動スケジュールを、上記ネットワーク情報記憶手段に記憶された上記ネットワーク情報を用いて生成する移動スケジュール生成手段と、上記イベントスケジュールを示すイベントスケジュール領域、および、上記移動スケジュールを示す移動スケジュール領域を上記表示部に表示させるスケジュール領域表示手段と、上記入力部を介して上記表示部に表示された上記移動スケジュール領域に対する表示位置変更指示が入力された場合、当該表示位置変更指示に基づき、上記移動スケジュールの変更要求を取得する変更要求取得手段と、上記変更要求取得手段により取得された上記変更要求に基づき、上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成手段と、を備え、上記スケジュール領域表示手段は、上記イベントスケジュール領域、および、上記移動スケジュール再生成手段により生成された上記移動スケジュールを示す上記移動スケジュール領域を上記表示部に表示させることを特徴とする。
【００１１】
また、本発明のスケジュール管理装置は、上記記載のスケジュール管理装置において、上記スケジュール領域表示手段は、更に、タイムテーブルに関するタイムテーブル情報を上記表示部に表示させることを特徴とする。
【００１２】
また、本発明のスケジュール管理装置は、上記記載のスケジュール管理装置において、上記変更要求は、上記移動スケジュールの出発時刻、および／または、到着時刻を、上記イベントスケジュールに含まれる上記時間内に設定する要求であることを特徴とする。
【００１３】
また、本発明のスケジュール管理装置は、上記記載のスケジュール管理装置において、上記スケジュール領域表示手段は、上記イベントスケジュール領域を上記表示部に表示させ、上記移動スケジュール領域を、所要時間が平均値となる上記移動スケジュールの場合の表示サイズで上記表示部に表示させることを特徴とする。
【００１４】
また、本発明のスケジュール管理装置は、上記記載のスケジュール管理装置において、上記スケジュール領域表示手段は、上記イベントスケジュール領域を上記表示部に表示させ、上記移動スケジュール領域を、所要時間が最大値となる上記移動スケジュールの場合の表示サイズで上記表示部に表示させることを特徴とする。
【００１５】
また、本発明のスケジュール管理装置は、上記記載のスケジュール管理装置において、上記スケジュール領域表示手段は、上記イベントスケジュール領域を上記表示部に表示させ、上記移動スケジュール領域を、所要時間が最小値となる上記移動スケジュールの場合の表示サイズで上記表示部に表示させることを特徴とする。
【００１６】
また、本発明のスケジュール管理装置は、上記記載のスケジュール管理装置において、上記スケジュール領域表示手段は、上記イベントスケジュール領域、および、複数に分割された上記移動スケジュール領域を上記表示部に表示させることを特徴とする。
【００１７】
また、本発明のスケジュール管理装置は、上記記載のスケジュール管理装置において、上記記憶部は、交通機関の時刻表情報を含む交通情報を記憶する交通情報記憶手段、を更に備え、上記表示位置変更指示は、上記交通情報記憶手段に記憶された上記時刻表情報に含まれる上記交通機関の出発時刻または到着時刻に対応する表示位置への変更指示であることを特徴とする。
【００１８】
また、本発明のスケジュール管理装置は、上記記載のスケジュール管理装置において、上記変更要求取得手段は、上記入力部を介して上記表示位置変更指示が入力された場合、当該表示位置変更指示に基づく上記移動スケジュール領域の移動方向、および、変更後表示位置に応じて、上記移動スケジュールの出発時刻、または、到着時刻を指定する上記変更要求を取得することを特徴とする。
【００１９】
また、本発明のスケジュール管理装置は、上記記載のスケジュール管理装置において、上記スケジュール領域表示手段は、上記イベントスケジュール領域、および、所要時間が最小となる上記移動スケジュールを示す上記移動スケジュール領域を上記表示部に表示させることを特徴とする。
【００２０】
また、本発明のスケジュール管理システムは、イベントの時間と当該イベントの場所に関する位置情報とを含むイベントスケジュールを記憶するスケジュール記憶手段と、交通網を規定するネットワーク情報を記憶するネットワーク情報記憶手段と、上記スケジュール記憶手段に記憶された２つの上記イベントスケジュール間の移動スケジュールを、上記ネットワーク情報記憶手段に記憶された上記ネットワーク情報を用いて生成する移動スケジュール生成手段と、上記イベントスケジュールを示すイベントスケジュール領域、および、上記移動スケジュールを示す移動スケジュール領域を表示部に表示させるスケジュール領域表示手段と、入力部を介して上記表示部に表示された上記移動スケジュール領域に対する表示位置変更指示が入力された場合、当該表示位置変更指示に基づき、上記移動スケジュールの変更要求を取得する変更要求取得手段と、上記変更要求取得手段により取得された上記変更要求に基づき、上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成手段と、を備え、上記スケジュール領域表示手段は、上記イベントスケジュール領域、および、上記移動スケジュール再生成手段により生成された上記移動スケジュールを示す上記移動スケジュール領域を上記表示部に表示させることを特徴とする。
【００２１】
また、本発明のスケジュール管理システムは、制御部と記憶部とを少なくとも備えたスケジュール管理サーバ、および、表示部と入力部と制御部とを少なくとも備えた端末装置、を通信可能に接続したスケジュール管理システムであって、上記スケジュール管理サーバの上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記スケジュール管理サーバの上記制御部は、上記スケジュール記憶手段に記憶された２つの上記イベントスケジュール間の移動スケジュールを、上記ネットワーク情報記憶手段に記憶された上記ネットワーク情報を用いて生成する移動スケジュール生成手段と、上記イベントスケジュールを示すイベントスケジュール領域、および、上記移動スケジュールを示す移動スケジュール領域を上記端末装置に送信するスケジュール領域送信手段と、上記端末装置から送信される上記移動スケジュールの変更要求を受信する変更要求受信手段と、上記変更要求受信手段により受信された上記変更要求に基づき、上記端末装置の上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成手段と、を備え、上記端末装置の上記制御部は、上記スケジュール管理サーバから送信される上記イベントスケジュール領域、および、上記移動スケジュール領域を受信するスケジュール領域受信手段と、上記スケジュール領域受信手段により受信された上記イベントスケジュール領域、および、上記移動スケジュール領域を上記表示部に表示させるスケジュール領域表示手段と、上記入力部を介して上記表示部に表示された上記移動スケジュール領域に対する表示位置変更指示が入力された場合、当該表示位置変更指示に基づき、上記移動スケジュールの上記変更要求を取得する変更要求取得手段と、上記変更要求取得手段により取得された上記変更要求を上記スケジュール管理サーバに送信する変更要求送信手段と、を備え、上記スケジュール領域送信手段は、上記イベントスケジュール領域、および、上記移動スケジュール再生成手段により生成された上記移動スケジュールを示す上記移動スケジュール領域を上記端末装置に送信することを特徴とする。
【００２２】
また、本発明のスケジュール管理サーバは、表示部と入力部とを少なくとも備えた端末装置に通信可能に接続された、制御部と記憶部とを少なくとも備えたスケジュール管理サーバであって、上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記制御部は、上記スケジュール記憶手段に記憶された２つの上記イベントスケジュール間の移動スケジュールを、上記ネットワーク情報記憶手段に記憶された上記ネットワーク情報を用いて生成する移動スケジュール生成手段と、上記イベントスケジュールを示すイベントスケジュール領域、および、上記移動スケジュールを示す移動スケジュール領域を含む表示情報を生成する表示情報生成手段と、上記表示情報を含む出力制御情報を上記端末装置へ送信することにより、当該表示情報を当該端末装置の上記表示部に表示させる出力制御手段と、上記端末装置の上記入力部を介して上記端末装置の上記表示部に表示された上記表示情報に含まれる上記移動スケジュール領域に対する表示位置変更指示が入力された場合、上記端末装置から送信される当該表示位置変更指示を受信する表示位置変更指示受信手段と、上記表示位置変更指示受信手段により受信された上記表示位置変更指示に基づき、上記移動スケジュールの変更要求を取得する変更要求取得手段と、上記変更要求取得手段により取得された上記変更要求に基づき、上記端末装置の上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成手段と、を備え、上記表示情報生成手段は、上記イベントスケジュール領域、および、上記移動スケジュール再生成手段により生成された上記移動スケジュールを示す上記移動スケジュール領域を含む上記表示情報を生成することを特徴とする。
【００２３】
また、本発明のスケジュール管理方法は、表示部と入力部と制御部と記憶部とを少なくとも備えたスケジュール管理装置において実行されるスケジュール管理方法であって、上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記制御部において実行される、上記スケジュール記憶手段に記憶された２つの上記イベントスケジュール間の移動スケジュールを、上記ネットワーク情報記憶手段に記憶された上記ネットワーク情報を用いて生成する移動スケジュール生成ステップと、上記イベントスケジュールを示すイベントスケジュール領域、および、上記移動スケジュールを示す移動スケジュール領域を上記表示部に表示させるスケジュール領域表示ステップと、上記入力部を介して上記表示部に表示された上記移動スケジュール領域に対する表示位置変更指示が入力された場合、当該表示位置変更指示に基づき、上記移動スケジュールの変更要求を取得する変更要求取得ステップと、上記変更要求取得ステップにて取得された上記変更要求に基づき、上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成ステップと、を含み、上記スケジュール領域表示ステップにて、上記イベントスケジュール領域、および、上記移動スケジュール再生成ステップにて生成された上記移動スケジュールを示す上記移動スケジュール領域を上記表示部に表示させることを特徴とする。
【００２４】
また、本発明のスケジュール管理方法は、スケジュール管理システムにおいて実行されるスケジュール管理方法であって、上記スケジュール管理システムは、イベントの時間と当該イベントの場所に関する位置情報とを含むイベントスケジュールを記憶するスケジュール記憶手段と、交通網を規定するネットワーク情報を記憶するネットワーク情報記憶手段と、移動スケジュール生成手段と、スケジュール領域表示手段と、変更要求取得手段と、移動スケジュール再生成手段と、を備え、上記移動スケジュール生成手段が、上記スケジュール記憶手段に記憶された２つの上記イベントスケジュール間の移動スケジュールを、上記ネットワーク情報記憶手段に記憶された上記ネットワーク情報を用いて生成する移動スケジュール生成ステップと、上記スケジュール領域表示手段が、上記イベントスケジュールを示すイベントスケジュール領域、および、上記移動スケジュールを示す移動スケジュール領域を表示部に表示させるスケジュール領域表示ステップと、上記変更要求取得手段が、入力部を介して上記表示部に表示された上記移動スケジュール領域に対する表示位置変更指示が入力された場合、当該表示位置変更指示に基づき、上記移動スケジュールの変更要求を取得する変更要求取得ステップと、上記移動スケジュール再生成手段が、上記変更要求取得ステップにて取得された上記変更要求に基づき、上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成ステップと、を含み、上記スケジュール領域表示ステップにて、上記イベントスケジュール領域、および、上記移動スケジュール再生成ステップにて生成された上記移動スケジュールを示す上記移動スケジュール領域を上記表示部に表示させることを特徴とする。
【００２５】
また、本発明のスケジュール管理方法は、制御部と記憶部とを少なくとも備えたスケジュール管理サーバ、および、表示部と入力部と制御部とを少なくとも備えた端末装置、を通信可能に接続したスケジュール管理システムにおいて実行されるスケジュール管理方法であって、上記スケジュール管理サーバの上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記スケジュール管理サーバの上記制御部において実行される、上記スケジュール記憶手段に記憶された２つの上記イベントスケジュール間の移動スケジュールを、上記ネットワーク情報記憶手段に記憶された上記ネットワーク情報を用いて生成する移動スケジュール生成ステップと、上記スケジュール管理サーバの上記制御部において実行される、上記イベントスケジュールを示すイベントスケジュール領域、および、上記移動スケジュールを示す移動スケジュール領域を上記端末装置に送信するスケジュール領域送信ステップと、上記端末装置の上記制御部において実行される、上記スケジュール管理サーバから送信される上記イベントスケジュール領域、および、上記移動スケジュール領域を受信するスケジュール領域受信ステップと、上記端末装置の上記制御部において実行される、上記スケジュール領域受信ステップにて受信された上記イベントスケジュール領域、および、上記移動スケジュール領域を上記表示部に表示させるスケジュール領域表示ステップと、上記端末装置の上記制御部において実行される、上記入力部を介して上記表示部に表示された上記移動スケジュール領域に対する表示位置変更指示が入力された場合、当該表示位置変更指示に基づき、上記移動スケジュールの変更要求を取得する変更要求取得ステップと、上記端末装置の上記制御部において実行される、上記変更要求取得ステップにて取得された上記変更要求を上記スケジュール管理サーバに送信する変更要求送信ステップと、上記スケジュール管理サーバの上記制御部において実行される、上記端末装置から送信される上記移動スケジュールの上記変更要求を受信する変更要求受信ステップと、上記スケジュール管理サーバの上記制御部において実行される、上記変更要求受信ステップにて受信された上記変更要求に基づき、上記端末装置の上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成ステップと、を含み、上記スケジュール領域送信ステップにて、上記イベントスケジュール領域、および、上記移動スケジュール再生成ステップにて生成された上記移動スケジュールを示す上記移動スケジュール領域を上記端末装置に送信することを特徴とする。
【００２６】
また、本発明のスケジュール管理方法は、表示部と入力部とを少なくとも備えた端末装置に通信可能に接続された、制御部と記憶部とを少なくとも備えたスケジュール管理サーバにおいて実行されるスケジュール管理方法であって、上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記制御部において実行される、上記スケジュール記憶手段に記憶された２つの上記イベントスケジュール間の移動スケジュールを、上記ネットワーク情報記憶手段に記憶された上記ネットワーク情報を用いて生成する移動スケジュール生成ステップと、上記イベントスケジュールを示すイベントスケジュール領域、および、上記移動スケジュールを示す移動スケジュール領域を含む表示情報を生成する表示情報生成ステップと、上記表示情報を含む出力制御情報を上記端末装置へ送信することにより、当該表示情報を当該端末装置の上記表示部に表示させる出力制御ステップと、上記端末装置の上記入力部を介して上記端末装置の上記表示部に表示された上記表示情報に含まれる上記移動スケジュール領域に対する表示位置変更指示が入力された場合、上記端末装置から送信される当該表示位置変更指示を受信する表示位置変更指示受信ステップと、上記表示位置変更指示受信ステップにて受信された上記表示位置変更指示に基づき、上記移動スケジュールの変更要求を取得する変更要求取得ステップと、上記変更要求取得ステップにて取得された上記変更要求に基づき、上記端末装置の上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成ステップと、を含み、上記表示情報生成ステップにて、上記イベントスケジュール領域、および、上記移動スケジュール再生成ステップにて生成された上記移動スケジュールを示す上記移動スケジュール領域を含む上記表示情報を生成することを特徴とする。
【００２７】
また、本発明のプログラムは、表示部と入力部と制御部と記憶部とを少なくとも備えたスケジュール管理装置に実行させるためのプログラムであって、上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記制御部において、上記スケジュール記憶手段に記憶された２つの上記イベントスケジュール間の移動スケジュールを、上記ネットワーク情報記憶手段に記憶された上記ネットワーク情報を用いて生成する移動スケジュール生成ステップと、上記イベントスケジュールを示すイベントスケジュール領域、および、上記移動スケジュールを示す移動スケジュール領域を上記表示部に表示させるスケジュール領域表示ステップと、上記入力部を介して上記表示部に表示された上記移動スケジュール領域に対する表示位置変更指示が入力された場合、当該表示位置変更指示に基づき、上記移動スケジュールの変更要求を取得する変更要求取得ステップと、上記変更要求取得ステップにて取得された上記変更要求に基づき、上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成ステップと、を実行させ、上記スケジュール領域表示ステップにて、上記イベントスケジュール領域、および、上記移動スケジュール再生成ステップにて生成された上記移動スケジュールを示す上記移動スケジュール領域を上記表示部に表示させることを特徴とする。
【００２８】
また、本発明のプログラムは、端末装置に通信可能に接続された、制御部と記憶部とを少なくとも備えたスケジュール管理サーバに実行させるためのプログラムであって、上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記制御部において、上記スケジュール記憶手段に記憶された２つの上記イベントスケジュール間の移動スケジュールを、上記ネットワーク情報記憶手段に記憶された上記ネットワーク情報を用いて生成する移動スケジュール生成ステップと、上記イベントスケジュールを示すイベントスケジュール領域、および、上記移動スケジュールを示す移動スケジュール領域を上記端末装置に送信するスケジュール領域送信ステップと、上記端末装置から送信される上記移動スケジュールの変更要求を受信する変更要求受信ステップと、上記変更要求受信ステップにて受信された上記変更要求に基づき、上記端末装置の上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成ステップと、を実行させ、上記スケジュール領域送信ステップにて、上記イベントスケジュール領域、および、上記移動スケジュール再生成ステップにて生成された上記移動スケジュールを示す上記移動スケジュール領域を上記端末装置に送信することを特徴とする。
【００２９】
また、本発明のプログラムは、表示部と入力部とを少なくとも備えた端末装置に通信可能に接続された、制御部と記憶部とを少なくとも備えたスケジュール管理サーバに実行させるためのプログラムであって、上記記憶部は、イベントの時間と当該イベントの場所に関する位置情報とを含むイベントスケジュールを記憶するスケジュール記憶手段と、交通網を規定するネットワーク情報を記憶するネットワーク情報記憶手段と、を備え、上記制御部において、上記スケジュール記憶手段に記憶された２つの上記イベントスケジュール間の移動スケジュールを、上記ネットワーク情報記憶手段に記憶された上記ネットワーク情報を用いて生成する移動スケジュール生成ステップと、上記イベントスケジュールを示すイベントスケジュール領域、および、上記移動スケジュールを示す移動スケジュール領域を含む表示情報を生成する表示情報生成ステップと、上記表示情報を含む出力制御情報を上記端末装置へ送信することにより、当該表示情報を当該端末装置の上記表示部に表示させる出力制御ステップと、上記端末装置の上記入力部を介して上記端末装置の上記表示部に表示された上記表示情報に含まれる上記移動スケジュール領域に対する表示位置変更指示が入力された場合、上記端末装置から送信される当該表示位置変更指示を受信する表示位置変更指示受信ステップと、上記表示位置変更指示受信ステップにて受信された上記表示位置変更指示に基づき、上記移動スケジュールの変更要求を取得する変更要求取得ステップと、上記変更要求取得ステップにて取得された上記変更要求に基づき、上記端末装置の上記表示部に表示された上記移動スケジュール領域に基づく上記移動スケジュールとは異なる、上記２つのイベントスケジュール間の上記移動スケジュールを、上記ネットワーク情報記憶手段に記憶された上記ネットワーク情報を用いて生成する移動スケジュール再生成ステップと、を実行させ、上記表示情報生成ステップにて、上記イベントスケジュール領域、および、上記移動スケジュール再生成ステップにて生成された上記移動スケジュールを示す上記移動スケジュール領域を含む上記表示情報を生成することを特徴とする。
【発明の効果】
【００３０】
この発明によれば、２つのイベントスケジュール間の移動スケジュールを、ネットワーク情報を用いて生成し、イベントスケジュールを示すイベントスケジュール領域、および、移動スケジュールを示す移動スケジュール領域を表示部に表示させ、入力部を介して表示部に表示された移動スケジュール領域に対する表示位置変更指示が入力された場合、当該表示位置変更指示に基づき、移動スケジュールの変更要求を取得し、変更要求に基づき、表示部に表示された移動スケジュール領域に基づく移動スケジュールとは異なる、２つのイベントスケジュール間の移動スケジュールを、ネットワーク情報を用いて生成するので、イベントスケジュールおよび移動スケジュールをグラフ状に表示し、当該グラフ状の移動スケジュールの選択操作に応じて、登録済みの移動スケジュールを修正するので、煩雑な操作無しで、ユーザの好みに合わせた移動スケジュール調整できるという効果を奏する。また、この発明によれば、イベントスケジュールに予備時間を設け、これを微調整する機能を付与することで、発着時刻を柔軟に変更操作ができるという効果を奏する。また、この発明によれば、スケジュールの開始終了時間と切り分けて予備時間をもつことができるため、行事の開始時間を本来よりも早めに登録して到着時間を早める等のユーザ側での回避処置をせずに済むという効果を奏する。
【００３１】
また、この発明によれば、更に、タイムテーブルに関するタイムテーブル情報を表示部に表示させるので、スケジュールの時間を大まかに把握しやすくなるという効果を奏する。
【００３２】
また、この発明によれば、変更要求は、移動スケジュールの出発時刻、および／または、到着時刻を、イベントスケジュールに含まれる時間内に設定する要求であるので、イベントの途中から参加する場合等の移動スケジュールを設定することができるという効果を奏する。
【００３３】
また、この発明によれば、イベントスケジュール領域を表示部に表示させ、移動スケジュール領域を、所要時間が平均値となる移動スケジュールの場合の表示サイズで表示部に表示させるので、目安となる移動スケジュールの移動時間をユーザに把握させることができるという効果を奏する。
【００３４】
また、この発明によれば、イベントスケジュール領域を表示部に表示させ、移動スケジュール領域を、所要時間が最大値となる移動スケジュールの場合の表示サイズで表示部に表示させるので、乗り継ぎがうまくいかなかった場合にかかる移動時間をユーザに把握させることができるという効果を奏する。
【００３５】
また、この発明によれば、イベントスケジュール領域を表示部に表示させ、移動スケジュール領域を、所要時間が最小値となる移動スケジュールの場合の表示サイズで表示部に表示させるので、スケジュールが立て込んでいる場合において、最短でどのくらいの移動時間を確保すればいいのかをユーザに把握させることができるという効果を奏する。
【００３６】
また、この発明によれば、イベントスケジュール領域、および、複数に分割された移動スケジュール領域を表示部に表示させるので、乗り換える路線等毎に視覚的に提示することができるという効果を奏する。
【００３７】
また、この発明によれば、表示位置変更指示は、時刻表情報に含まれる交通機関の出発時刻または到着時刻に対応する表示位置への変更指示であるので、交通機関の発着時刻おきに移動スケジュール領域を画面上でスライド表示させることができるという効果を奏する。
【００３８】
また、この発明によれば、入力部を介して表示位置変更指示が入力された場合、当該表示位置変更指示に基づく移動スケジュール領域の移動方向、および、変更後表示位置に応じて、移動スケジュールの出発時刻、または、到着時刻を指定する変更要求を取得するので、下方向に移動させる場合には交通機関の出発時刻指定とし、上方向に移動させる場合には交通機関の到着時刻指定とする等の直感的な操作を可能にするという効果を奏する。
【００３９】
また、この発明によれば、イベントスケジュール領域、および、所要時間が最小となる移動スケジュールを示す移動スケジュール領域を表示部に表示させるので、ユーザが最適経路を確認しながら移動スケジュールを決定することができるという効果を奏する。
【００４０】
なお、上記において、本発明のスケジュール管理装置を一例に効果の説明をしたが、スケジュール管理システム、スケジュール管理サーバ、スケジュール管理方法、および、プログラムにおいても同様の効果を奏する。
【図面の簡単な説明】
【００４１】
【図１】図１は、第１の実施形態におけるスケジュール管理システムの構成の一例を示すブロック図である。
【図２】図２は、第１の実施形態におけるスケジュール管理システムの処理の一例を示すフローチャートである。
【図３】図３は、第１の実施形態におけるスケジュール管理システムの処理の一例を示すフローチャートである。
【図４】図４は、本実施形態におけるイベントスケジュールのデータ構造の一例を示す図である。
【図５】図５は、本実施形態における表示画面の一例を示す図である。
【図６】図６は、本実施形態における表示画面の一例を示す図である。
【図７】図７は、本実施形態における表示画面の一例を示す図である。
【図８】図８は、本実施形態における表示画面の一例を示す図である。
【図９】図９は、本実施形態における表示画面の一例を示す図である。
【図１０】図１０は、本実施形態における表示画面の一例を示す図である。
【図１１】図１１は、本実施形態における表示画面の一例を示す図である。
【図１２】図１２は、本実施形態における表示画面の一例を示す図である。
【図１３】図１３は、本実施形態における表示画面の一例を示す図である。
【図１４】図１４は、本実施形態における表示画面の一例を示す図である。
【図１５】図１５は、第２の実施形態におけるスケジュール管理サーバの構成の一例を示すブロック図である。
【図１６】図１６は、第２の実施形態におけるスケジュール管理サーバの処理の一例を示すフローチャートである。
【図１７】図１７は、第２の実施形態におけるスケジュール管理サーバの処理の一例を示すフローチャートである。
【図１８】図１８は、第３の実施形態におけるスケジュール管理装置の構成の一例を示すブロック図である。
【図１９】図１９は、第３の実施形態におけるスケジュール管理装置の処理の一例を示すフローチャートである。
【図２０】図２０は、第３の実施形態におけるスケジュール管理装置の処理の一例を示すフローチャートである。
【発明を実施するための形態】
【００４２】
以下に、本発明にかかるスケジュール管理システム、端末装置、スケジュール管理サーバ、スケジュール管理装置、スケジュール管理方法、および、プログラムの実施の形態を図面に基づいて詳細に説明する。なお、この実施の形態によりこの発明が限定されるものではない。
【００４３】
以下、本発明の構成および処理について、第１の実施形態（スケジュール管理システム）、第２の実施形態（スケジュール管理サーバ（サーバ主導型））、第３の実施形態（スケジュール管理装置（スタンドアローン型））の順にて詳細に説明する。
【００４４】
［第１の実施形態］
最初に、本発明の第１の実施形態（スケジュール管理システム）について、図１乃至図１４を参照して以下に説明する。但し、以下に示す第１の実施形態は、本発明の技術思想を具体化するためのスケジュール管理システムを例示するものであって、本発明をこのスケジュール管理システムに特定することを意図するものではなく、特許請求の範囲に含まれるその他の実施形態のスケジュール管理システムにも等しく適用し得るものである。例えば、第１の実施形態で例示するスケジュール管理システムにおけるサーバ側と端末側の機能分散の形態は以下に限られず、同様の効果や機能を奏し得る範囲において、任意の単位で機能的または物理的に分散・統合して構成することができる。
【００４５】
［スケジュール管理システムの構成］
まず、第１の実施形態におけるスケジュール管理システムの構成の一例について、図１を参照して以下に説明する。図１は、第１の実施形態におけるスケジュール管理システムの構成の一例を示すブロック図であり、該構成のうち本発明に関係する部分のみを概念的に示している。なお、本実施形態においては、通信型のナビゲーションを提供するスケジュール管理システムを具体例として説明するが、本発明はこれに限ることなく、スタンドアローンタイプのスケジュール管理システムなどにも適用可能である。
【００４６】
図１に示すように、第１の実施形態のスケジュール管理システムは、概略的に、地図情報提供および経路探索等を行うことができるスケジュール管理サーバ２００、および、単数または複数の経路案内アプリケーションおよび乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これらスケジュール管理システムの各部は任意の通信路を介して通信可能に接続されている。
【００４７】
図１に示すように、第１の実施形態のスケジュール管理システムにおいて、スケジュール管理サーバ２００は、概略的に、制御部２０２と記憶部２０６とを少なくとも備えており、端末装置１００は、位置取得部１１２と出力部（表示部１１４および音声出力部１１６）と入力部１１８と制御部１０２と記憶部１０６とを少なくとも備える。
【００４８】
［スケジュール管理サーバ２００の構成］
ここで、図１において、スケジュール管理サーバ２００は、２つのイベントスケジュール間の移動スケジュールを、ネットワーク情報を用いて生成し、イベントスケジュールを示すイベントスケジュール領域、および、移動スケジュールを示す移動スケジュール領域を端末装置１００に送信し、端末装置１００から送信される移動スケジュールの変更要求を受信し、変更要求に基づき、端末装置１００の表示部１１４に表示された移動スケジュール領域に基づく移動スケジュールとは異なる、２つのイベントスケジュール間の移動スケジュールを、ネットワーク情報を用いて生成する等の機能を有する。スケジュール管理サーバ２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、スケジュール管理サーバ２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（スケジュールデータベース２０６ａ、ネットワーク情報データベース２０６ｂ、交通情報データベース２０６ｃ、地図情報データベース２０６ｄ、および、案内情報データベース２０６ｅ等）を格納する。
【００４９】
これら記憶部２０６の各構成要素のうち、スケジュールデータベース２０６ａは、スケジュールを記憶するスケジュール記憶手段である。ここで、スケジュールデータベース２０６ａは、イベントの時間と当該イベントの場所に関する位置情報とを含むイベントスケジュールを記憶していてもよい。ここで、イベントとは、展示会、学会、祭り、または、コンサート等の大規模な催事だけでなく、会議等の会合、食事、または、買い物等の一定の場所で行なわれる利用者の個人的な予定であってもよい。また、イベントスケジュールは、更に、イベントの名称等を含む題目、参加者の氏名、および、イベントの概要情報等を含んでいてもよい。また、イベントの時間は、日付、開始時刻、終了時刻、開始予備時間、および、終了予備時間等を含んでいてもよい。また、イベントの位置情報は、イベントの開催場所の名称、住所、および／または、電話番号等を含んでいてもよい。また、スケジュールデータベース２０６ａは、イベントスケジュール間の移動スケジュールを記憶していてもよい。
【００５０】
また、ネットワーク情報データベース２０６ｂは、交通網を規定するネットワーク情報を記憶するネットワーク情報記憶手段である。ここで、ネットワーク情報は、交通網表現上の結節点であるノードと、当該ノード間を接続するリンクと、の組み合わせによって表現されるネットワークに関する情報であってもよい。また、ネットワーク情報は、道路ネットワーク情報、路線網ネットワーク情報、および、施設内ネットワーク情報を含んでいてもよい。これらネットワーク情報は、ネットワーク情報データベース２０６ｂに予め記憶されており、スケジュール管理サーバ２００の制御部２０２は、定期的に、および／または、制御部２０２による処理に応じて（例えば、制御部２０２においてデータが必要となる契機等に）ネットワーク３００を介して最新のデータを外部機器（例えば、地図情報を提供する地図提供サーバなど）等からダウンロードしてネットワーク情報データベース２０６ｂに記憶されたネットワーク情報をアップデートしてもよい。
【００５１】
ここで、ネットワーク情報に含まれる道路ネットワーク情報は、道路網を規定するネットワーク情報であり、例えば、交差点等の道路網表現上の結節点であるノードのノードデータと、ノード間の道路区間であるリンクのリンクデータとの組み合わせによって表現されるネットワーク情報である。ここで、ノードデータには、ノード番号（例えば、ノードＩＤ等）、ノードの名称、緯度経度高度等の位置座標等の位置情報、ノード種別、接続するリンク本数、接続ノード番号、および、交差点名称等の情報を含んでいてもよい。また、リンクデータには、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、路線バス専用通行帯、二輪専用通行帯、および、二輪・軽車両専用通行帯等の専用通行帯、路線バス等優先通行帯、自転車専用通行帯、車両通行区分、ならびに、進行方向別通行区分などについての車両通行帯情報等）、中央分離帯を含む中央線の設置情報、歩行路（例えば、歩道、自転車道、歩行者専用道路、自転車専用道路、自転車歩行者専用道路、自転車歩行者道、または、路側帯等）に関する歩行路情報（例えば、歩行路の設置情報、および、設置位置に関する位置情報等を含む）、横断路（例えば、横断歩道、歩道橋、および、地下道等）に関する横断路情報（例えば、横断路の設置情報、および、設置位置に関する位置情報等を含む）、制限速度、車線変更規制、高架、トンネルおよび橋等のリンク内属性、ならびに、名称（例えば、道路名称等）等の情報を含んでいてもよい。また、道路ネットワーク情報は、利用料金データ等を含んでいてもよい。ここで、利用料金データは、自動車およびオートバイ等で移動する場合に消費する燃料料金、ならびに、高速自動車国道および自動車専用道路等の有料道路の通行料金等を表す情報等であってもよい。また、道路ネットワーク情報は、自動車、オートバイ、自転車、および、徒歩等で移動する場合の経路上に存在する施設等の緯度経度情報などの位置情報等を記憶していてもよい。
【００５２】
また、ネットワーク情報に含まれる路線網ネットワーク情報は、鉄道、飛行機、バス、および、船等の各交通機関（例えば、公共交通機関等）の路線網を規定するネットワーク情報であり、例えば、路線網表現上の結節点であるノード（例えば、交通機関の停留地点である駅、停留場、停車場、停留所、空港、港、および、ターミナル等）に関するノードデータ（例えば、停留地点情報）と、ノード間を接続するリンク（例えば、鉄道路線、航空路線、航路、および、バス路線等）に関するリンクデータ（例えば、路線情報、および、運行経路情報等）との組み合わせによって表現されるネットワーク情報である。ここで、路線とは、交通機関が通過する出発地と目的地とを結ぶ線であってもよい。また、運行経路情報は、交通機関の路線が設定された交通機関が実際に移動する運行経路に関する情報であって、当該運行経路の位置情報を含んでいてもよい。また、鉄道とは、ルート上に設置された固定式案内路（レール、および案内軌条など）等に誘導されて走行し、旅客や貨物等を輸送する交通機関であり、例えば、電車、市電、ロープウェイ、モノレール、ケーブルカー、および、リニアモーターカー等であってもよい。また、ノードデータには、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの位置情報などの情報を含んでいてもよい。また、リンクデータには、リンク番号（例えば、リンクＩＤ等）、開始ノードＩＤ、終了ノードＩＤ、種別、リンク長（例えば、距離等）、高架、トンネルおよび橋等のリンク内属性、リンクの名称（例えば、路線名など）、ならびに、緯度経度高度などの位置情報等の情報を含んでいてもよい。また、路線網ネットワーク情報は、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）のノードデータと、当該ノード間を接続する鉄道路線、および、バス路線等のリンクのリンクデータとの組み合わせによって表現されるネットワーク情報を当該種別に対応付けて含んでいてもよい。
【００５３】
また、路線網ネットワーク情報は、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワーク情報は、交通機関の利用運賃料金データを含んでいてもよい。ここで、利用運賃料金データは、例えば、鉄道、飛行機、バス、および、船等の各交通機関を利用した場合に生じる運賃および料金等を表す情報等であってもよい。また、路線網ネットワーク情報は、乗車位置データを含んでいてもよい。ここで、乗車位置データは、例えば、電車、市電、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。
【００５４】
また、ネットワーク情報に含まれる施設内ネットワーク情報は、施設内の経路網を規定するネットワーク情報である。ここで、施設内ネットワーク情報は、例えば、建造物内の店舗、会社、事務所、およびトイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードのノードデータと、ノード間を接続する通路、階段、動く歩道、エスカレータ、および、エレベータ等であるリンクのリンクデータとの組み合わせによって表現されるネットワーク情報である。ここで、ノードデータには、ノード番号（例えば、ノードＩＤ等）、ノードの名称（出入口名および乗降口名等）、緯度経度高度等の位置座標等の位置情報、ノード種別（例えば、出入口、乗降口、通路の曲がり角、および通路の分岐点等）、接続するリンク本数、および、接続ノード番号等の情報を含んでいてもよい。また、リンクデータには、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００５５】
また、交通情報データベース２０６ｃは、交通情報を記憶する交通情報記憶手段である。ここで、交通情報は、交通機関の運行情報（例えば、遅延情報等）を含んでいてもよく、例えば、運行情報は、鉄道運行情報、航空運行情報、船舶運行情報、および、バス運行情報等を含んでいてもよい。また、運行情報は、交通機関の時刻表情報（運行時刻情報）を含んでいてもよい。また、運行情報は、交通機関単位の時刻表情報（例えば、各交通機関が経由する停留地点の経由時刻を定めた時刻表情報等）であってもよく、停留所単位の時刻表情報（例えば、各停留地点を経由する交通機関の到着時刻を定めた時刻表情報等）であってもよい。なお、運行情報は、路線または運行便毎の、経由する停留地点およびその経由予定時刻に関する情報を含んでいてもよい。ここで、時刻表情報は、鉄道、飛行機、バス、および、船等の各交通機関の時刻表を表す情報であってもよい。また、時刻表情報は、更に、交通機関の行先情報（例えば、最終行先情報など）、および、交通機関の種別（例えば、特急、急行、準急、快速、快速急行、通勤特急、通勤快速、通勤急行、区間急行、区間準急、区間快速、各駅停車、および、普通など）を含む情報であってもよい。また、時刻表情報は、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表情報は、交通機関の路線上のノードを結ぶ区間（例えば、一つまたは複数のリンク等）毎に対応付けられた交通機関の属性情報（例えば、種別および行先情報等）を含んでいてもよい。また、時刻表情報は、各交通機関の乗降に用いられる乗降場所の名称および識別番号（例えば、プラットホーム番号など）等の乗降場所の属性情報を含んでいてもよい。
【００５６】
また、交通情報は、道路交通情報を含んでいてもよい。ここで、道路交通情報は、渋滞発生地点や渋滞距離や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。また、交通規制情報は、工事、事故、または、車両故障等により車両通行帯等が走行不能または走行困難となる通行規制情報であってもよい。また、これら交通情報は、交通情報データベース２０６ｃに予め記憶されており、スケジュール管理サーバ２００の制御部２０２は、定期的（例えば、５分毎等）に、および／または、制御部２０２による処理に応じて（例えば、制御部２０２においてデータが必要となる契機等に）ネットワーク３００を介して最新のデータを外部システム（例えば、警察庁、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、および、ＡＴｉＳ（登録商標）（Ａｄｖａｎｃｅｄ  Ｔｒａｆｆｉｃ  Ｉｎｆｏｒｍａｔｉｏｎ  Ｓｅｒｖｉｃｅ）、日本道路交通情報センター（登録商標）（ＪＡＲＴＩＣ（登録商標））、鉄道会社、バス会社、および、交通情報配信サーバ（サービス）など）等からダウンロードして交通情報データベース２０６ｃに記憶された交通情報をアップデートしてもよい。
【００５７】
また、地図情報データベース２０６ｄは、地図に関する地図情報を記憶する地図情報記憶手段である。ここで、地図情報データベース２０６ｄは、複数の縮尺の地図に関する地図情報、または、複数の縮尺の地図に対応可能な地図情報を記憶していてもよい。すなわち、地図情報は、複数の縮尺のラスタ形式の地図描画用の画像、または、ベクタ形式の地図描画用の画像等を含んでいてもよい。ここで、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図や路線図等の屋外地図情報を含んでいてもよい。また、地図情報は、例えば、高さ情報を持つ建築物（例えば、立体駐車場、駅、デパート、および、学校等）に関するフロア案内地図等の屋内地図情報を含んでいてもよい。また、地図情報データベース２０６ｄは、地図情報と、当該地図情報を一意に識別する地図ＩＤ（例えば、メッシュ番号等）と、を対応付けて記憶していてもよい。
【００５８】
また、地図情報データベース２０６ｄは、更に、地図上に表示される地図オブジェクトに関する地図オブジェクト情報を記憶していてもよい。ここで、地図オブジェクト情報は、地図上に表示される地物（例えば、ビル、住宅、および、駅等の建造物、道路、線路、橋、トンネル、等高線、海岸線、および、湖岸線等の水涯線、海、河川、湖、池、沼、公園、および、屋外施設等の場地、行政界、行政区域、ならびに、街区等）の形状についての形状情報（ポリゴン、または、ポリライン等）、地図上に表示される注記（例えば、地名、住所、電話番号、店舗、公園、ビル、および、駅等の施設名称、名所、旧跡、河川、湖、湾、山、および、森林等の俗称を含む名称、道路、橋、および、トンネル等の名称、路線名称、地点情報、ならびに、口コミ情報、施設の営業時間、店舗の取扱商品、ＵＲＬ、写真データ、ならびに、クーポン情報等）の注記情報、ならびに、地図上に表示される記号（例えば、山、史跡、寺社、官庁、警察署、交番、消防署、駅、医療機関、美術館、博物館、学校、工場、および、墓地等の地図記号、飲食店、食料品店、酒店、タバコ店、百貨店、ショッピングセンター、スーパーマーケット、コンビニエンスストア、ガソリンスタンド、金融機関、および、郵便局等の店舗記号、道路上の信号、有料道路の出入口、料金所、サービスエリア、パーキングエリア、および、インターチェンジ等の記号、駐車場、駅、ホテル、美術館、および、博物館等の施設記号、ならびに、口コミ地点記号等）の記号情報等のデータを含んでいてもよい。ここで、形状情報は、地図オブジェクト描画用の画像（例えば、ポリゴン、および、ポリライン等）を含んでいてもよい。
【００５９】
また、地図情報データベース２０６ｄは、更に、ＰＯＩ（ｐｏｉｎｔ  ｏｆ  ｉｎｔｅｒｅｓｔ）の位置情報等を含むＰＯＩ情報を記憶していてもよい。ここで、ＰＯＩの位置（座標）情報は、ＰＯＩの緯度経度高度、ＰＯＩの電話番号、ＰＯＩの住所、ならびに、ＰＯＩの存在する地点の立地（都市部、郊外、港湾部、および、駅周辺等）および用途制限等を含んでいてもよい。また、ＰＯＩ情報は、ＰＯＩの名称、種別（カテゴリ）、ＵＲＬ、営業時間、取扱商品、平均価格（例えば、平均使用料金など）、評判、ランキング、立ち寄りやすさ、レコメンドスコア、写真データ、クーポン情報、口コミ（例えば、口コミ評価およびユーザコメントなど）、使用条件、使用可能性、施設規模、ＰＯＩ  ＩＤ、当該ＰＯＩ情報へのアクセス回数またはアクセス頻度等の参照率、および、当該ＰＯＩ情報の更新日時等の情報を含んでいてもよい。ここで、ＰＯＩとは、便利な場所や興味のある場所などとして人が知覚する特定の地点および施設等であって、店舗、会社、事務所、公共施設、娯楽施設、および、屋外施設等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、ならびに、ホテルおよび旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、および、競馬場等であってもよい。また、屋外施設は、バスターミナル、公園、遊園地、キャンプ場、連絡通路、屋外駐車場、および、動物園等であってもよい。また、ＰＯＩは、一時的に行われるイベント（例えば、祭り、展示会、博覧会、試合、コンサート、および、フリーマーケット等）の会場であってもよい。
【００６０】
また、地図情報に含まれる屋内地図情報は、施設等の構内における屋内経路についての構内経路データを含んでいてもよい。ここで、構内経路データとは、駅等の構内における移動経路データと、当該移動経路を含む地図（施設案内図）の地図情報と、に少なくとも基づくデータであってもよい。例えば、構内経路データは、施設案内図に移動経路が引いてある画像であってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。
【００６１】
また、これら地図情報等は、地図情報データベース２０６ｄに予め記憶されており、スケジュール管理サーバ２００の制御部２０２は、定期的に、および／または、制御部２０２による処理に応じて（例えば、制御部２０２においてデータが必要となる契機等に）ネットワーク３００を介して最新のデータを外部機器（例えば、地図情報を提供する地図提供サーバなど）等からダウンロードして地図情報データベース２０６ｄに記憶された地図情報等をアップデートしてもよい。
【００６２】
また、案内情報データベース２０６ｅは、案内情報（音声案内情報および表示案内情報等）を記憶する案内情報記憶手段である。ここで、案内情報に含まれる表示案内情報は、分岐点等における進行方向等に対応付けられた、右左折等の誘導を画面に表示する矢印ナビゲーションであるターンバイターン（ＴＢＴ）、および、現在位置が目標物に近づいた旨を知らせる文字データ等であってもよく、例えば、端末装置１００の制御部１０２が表示案内を実行する際に用いられてもよい。また、表示案内情報は、交差点周辺の低縮尺の地図に関する地図情報（例えば、交差点拡大図等）、道路標識の道路標識画像、および、道路標示の道路表示画像等を含んでいてもよい。また、案内情報に含まれる音声案内情報は、現在位置周辺に渋滞している領域があることを知らせる音声情報であってもよく、横断路の進入箇所に対応付けられた「目前の横断路は横断可能です」、「この先にも横断路があります」、および、「ここが最後の横断路です」、渋滞箇所の案内に対応付けられた「この先渋滞しています」、分岐点等における進行方向等に対応付けられた「次の交差点を左に曲がります」、ならびに、現在位置が目的地に近づいた場合に対応付けられた「まもなく目的地周辺です」等の音声情報であってもよく、例えば、端末装置１００の制御部１０２が音声案内を実行する際に用いられてもよい。
【００６３】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、スケジュール受信部２０２ａ、スケジュール登録部２０２ｂ、移動スケジュール生成要求受信部２０２ｃ、移動スケジュール生成部２０２ｄ、経路案内情報生成部２０２ｅ、スケジュール領域生成部２０２ｆ、スケジュール領域送信部２０２ｇ、編集要求受信部２０２ｈ、編集部２０２ｉ、変更要求受信部２０２ｊ、および、移動スケジュール再生成部２０２ｋを備える。
【００６４】
このうち、スケジュール受信部２０２ａは、端末装置１００から送信されるイベントスケジュールを受信するスケジュール受信手段である。
【００６５】
また、スケジュール登録部２０２ｂは、イベントスケジュールをスケジュールデータベース２０６ａに登録（格納）するスケジュール登録手段である。
【００６６】
また、移動スケジュール生成要求受信部２０２ｃは、端末装置１００から送信される移動スケジュール生成要求を受信する移動スケジュール生成要求受信手段である。ここで、移動スケジュール生成要求は、経由地、移動手段（例えば、交通機関利用、徒歩利用、自転車利用、または、自動車利用等）、出発時刻、経由時刻、および／または、到着時刻等を含む経路探索条件を含んでいてもよい。ここで、経路探索条件は、端末装置１００の入力部１１８を介して入力されたものであってもよい。
【００６７】
また、移動スケジュール生成部２０２ｄは、２つのイベントスケジュール間の移動スケジュールを、ネットワーク情報データベース２０６ｂに記憶されたネットワーク情報を用いて生成する移動スケジュール生成手段である。ここで、移動スケジュールは、２つのイベントスケジュールに含まれる位置情報に基づく２つのイベントの場所間の案内経路に関する経路情報等を含んでいてもよい。ここで、経路情報は、案内経路の位置情報だけでなく、出発時刻、到着時刻、および、案内経路の所要時間等を含んでいてもよい。また、移動スケジュール生成部２０２ｄは、更に、移動スケジュールを、交通情報データベース２０６ｃに記憶された交通情報に基づいて生成してもよい。例えば、移動スケジュール生成部２０２ｄは、２つのイベントスケジュールに含まれる位置情報に基づく２つのイベントの場所を出発地および目的地として、当該出発地から当該目的地までの案内経路を、交通情報データベース２０６ｃに記憶された交通情報に基づいて、ネットワーク情報データベース２０６ｂに記憶されたネットワーク情報を用いて探索し、当該案内経路に関する経路情報を含む移動スケジュールを生成してもよい。ここで、移動スケジュール生成部２０２ｄは、移動スケジュール生成要求に含まれる経路探索条件を満たす案内経路を探索してもよい。
【００６８】
また、経路案内情報生成部２０２ｅは、経路案内情報を生成する経路案内情報生成手段である。ここで、経路案内情報生成部２０２ｅは、移動スケジュール生成部２０２ｄにより生成された移動スケジュールに含まれる経路情報を含む経路案内情報を生成してもよい。また、経路案内情報は、更に、地図情報データベース２０６ｄに記憶された、案内経路を含む地図に関する地図情報を含んでいてもよい。また、経路案内情報は、更に、案内情報データベース２０６ｅに記憶された、案内経路上において出力される案内情報（表示案内情報および音声案内情報等）を含んでいてもよい。
【００６９】
また、スケジュール領域生成部２０２ｆは、イベントスケジュールを示すイベントスケジュール領域、移動スケジュールを示す移動スケジュール領域、および／または、当該イベントスケジュール間を示すスケジュール間領域を生成するスケジュール領域生成手段である。ここで、領域とは、スケジュールに含まれる時間に基づき表示サイズが設定された、当該表示サイズが変更可能なウィジェット等であってもよい。
【００７０】
また、スケジュール領域送信部２０２ｇは、イベントスケジュール領域、および／または、移動スケジュール領域を端末装置１００に送信するスケジュール領域送信手段である。ここで、スケジュール領域送信部２０２ｇは、更に、スケジュール間領域、タイムテーブルに関するタイムテーブル情報、時間を示すスケールに関するスケール情報、イベントスケジュール領域の表示サイズの変更を入力するためのつまみを示すつまみ情報、変更方向または移動方向を示す矢印情報、移動スケジュールを再探索するか否か問うダイアログボックス、経路探索条件を含む移動スケジュール生成要求の入力および移動スケジュール登録のためのコンボボックス、および／または、移動スケジュールに含まれる経路情報を含む経路案内情報等を端末装置１００に送信してもよい。
【００７１】
また、編集要求受信部２０２ｈは、端末装置１００から送信されるイベントスケジュールの編集要求を受信する編集要求受信手段である。
【００７２】
また、編集部２０２ｉは、イベントスケジュールの編集要求に基づき、スケジュールデータベース２０６ａに記憶されたイベントスケジュールを編集する編集手段である。例えば、編集部２０２ｉは、イベントスケジュールの編集要求に基づき、スケジュールデータベース２０６ａに記憶されたイベントスケジュールに含まれるイベントの時間（例えば、開始時刻、および／または、終了時刻等）を変更してもよい。
【００７３】
また、変更要求受信部２０２ｊは、端末装置１００から送信される移動スケジュールの変更要求を受信する変更要求受信手段である。ここで、変更要求は、移動スケジュールの出発時刻、および／または、到着時刻を、イベントスケジュールに含まれる時間内に設定する要求であってもよい。また、変更要求は、移動スケジュールの出発時刻、または、到着時刻を指定（変更）する要求であってもよい。
【００７４】
また、移動スケジュール再生成部２０２ｋは、移動スケジュールの変更要求に基づき、端末装置１００の表示部１１４に表示された移動スケジュール領域に基づく移動スケジュールとは異なる、２つのイベントスケジュール間の移動スケジュールを、ネットワーク情報データベース２０６ｂに記憶されたネットワーク情報を用いて生成する移動スケジュール再生成手段である。ここで、移動スケジュール再生成部２０２ｋは、更に、移動スケジュールを、交通情報データベース２０６ｃに記憶された交通情報に基づいて生成してもよい。例えば、移動スケジュール再生成部２０２ｋは、移動スケジュールの変更要求に基づき、端末装置１００の表示部１１４に表示された移動スケジュール領域に基づく移動スケジュールとは異なる、２つのイベントスケジュールに含まれる位置情報に基づく２つのイベントの場所を出発地および目的地として、当該出発地から当該目的地までの案内経路を、交通情報データベース２０６ｃに記憶された交通情報に基づいて、ネットワーク情報データベース２０６ｂに記憶されたネットワーク情報を用いて探索し、当該案内経路に関する経路情報を含む移動スケジュールを生成してもよい。
【００７５】
［端末装置１００の構成］
また、図１において、端末装置１００は、スケジュール管理サーバ２００から送信されるイベントスケジュール領域、および、移動スケジュール領域を受信し、イベントスケジュール領域、および、移動スケジュール領域を表示部１１４に表示させ、入力部１１８を介して表示部１１４に表示された移動スケジュール領域に対する表示位置変更指示が入力された場合、当該表示位置変更指示に基づき、移動スケジュールの変更要求を取得し、変更要求をスケジュール管理サーバに送信する等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行なうナビゲーション端末（例えば、カースケジュール管理装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置測位が行えるよう、ＧＰＳ機能やＩＭＥＳ機能等を有する位置取得部１１２を備えていてもよい。また、端末装置１００は、表示部１１４と音声出力部１１６とを少なくとも含む出力部を備えていてもよい。また、端末装置１００は、データ入力等を行う入力部１１８を備えていてもよい。
【００７６】
ここで、表示部１１４は、アプリケーション等の表示画面を表示する表示手段（例えば、液晶または有機ＥＬ等から構成されるディスプレイおよびモニタ等）であってもよい。また、音声出力部１１６は、音声情報を音声として出力する音声出力手段（例えば、スピーカ等）であってもよい。また、入力部１１８は、例えば、キー入力部、タッチパネル、キーボード、および、マイク等であってもよい。また、入出力制御インターフェース部１０８は、位置取得部１１２、表示部１１４、音声出力部１１６、および、入力部１１８等の制御を行う。
【００７７】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置（例えば、ＧＰＳ衛星等）であってもよい。ここで、ＧＰＳ信号は、ＧＰＳ装置に搭載された原子時計等からの時刻、および、ＧＰＳ装置の天体暦（例えば、軌道情報等）などを含んでいてもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。
【００７８】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００７９】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。また、方位センサは、地磁気センサと加速度センサを組み合わせることで方位および傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。
【００８０】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００８１】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、スケジュール管理サーバ２００等と通信回線を介してデータを通信する機能を有している。また、ネットワーク３００は、端末装置１００およびスケジュール管理サーバ２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００８２】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（出力情報ファイル１０６ａ等）を格納してもよい。ここで、記憶部１０６は、各種のファイル等を一時的に記憶するものであってもよい。
【００８３】
また、出力情報ファイル１０６ａは、出力情報を記憶する出力情報記憶手段である。ここで、出力情報は、イベントスケジュール領域、移動スケジュール領域、スケジュール間領域、タイムテーブル情報、スケール情報、および、経路案内情報等を含んでいてもよい。
【００８４】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、スケジュール送信部１０２ｂ、移動スケジュール生成要求送信部１０２ｃ、スケジュール領域受信部１０２ｄ、スケジュール領域表示部１０２ｅ、編集要求取得部１０２ｆ、編集要求送信部１０２ｇ、変更要求取得部１０２ｈ、および、変更要求送信部１０２ｉを備える。
【００８５】
ここで、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間ごと（例えば、１秒ごと、または、３分ごと等）に、すなわち、所定周期で取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、更に、端末装置１００の利用者の現在位置情報をスケジュール管理サーバ２００に送信してもよい。また、現在位置情報は、取得時刻（例えば、位置情報信号に含まれる発信時刻等）を含んでいてもよい。
【００８６】
また、現在位置情報取得部１０２ａは、利用者により入力部１１８を介して入力された現在位置についての位置座標等の位置情報を端末装置１００の利用者の現在位置情報として取得してもよい。ここで、利用者により入力部１１８を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、表示部１１４に表示された地図情報上で、利用者により入力部１１８を介して指定（例えば、タッチパネル式の表示部１１４での指定操作等）された表示位置に対応する地点情報を端末装置１００の利用者の現在位置情報として取得してもよい。
【００８７】
また、スケジュール送信部１０２ｂは、イベントスケジュールをスケジュール管理サーバ２００に送信するイベントスケジュール送信手段である。
【００８８】
また、移動スケジュール生成要求送信部１０２ｃは、移動スケジュール生成要求をスケジュール管理サーバ２００に送信する移動スケジュール生成要求送信手段である。
【００８９】
また、スケジュール領域受信部１０２ｄは、スケジュール管理サーバ２００から送信されるイベントスケジュール領域、および／または、移動スケジュール領域を受信するスケジュール領域受信手段である。ここで、スケジュール領域受信部１０２ｄは、更に、スケジュール管理サーバ２００から送信されるスケジュール間領域、タイムテーブル情報、スケール情報、つまみ情報、矢印情報、ダイアログボックス、コンボボックス、および／または、経路案内情報等を受信してもよい。また、スケジュール領域受信部１０２ｄは、更に、受信した出力情報を出力情報ファイル１０６ａに格納してもよい。また、スケジュール領域受信部１０２ｄは、出力情報ファイル１０６ａに既存の出力情報が記憶されている場合、新たに設定された出力情報を、既存の出力情報に上書きして格納してもよい。
【００９０】
また、スケジュール領域表示部１０２ｅは、イベントスケジュール領域、および／または、移動スケジュール領域を表示部１１４に表示させるスケジュール領域表示手段である。ここで、スケジュール領域表示部１０２ｅは、更に、タイムテーブルに関するタイムテーブル情報を表示部１１４に表示させてもよい。また、スケジュール領域表示部１０２ｅは、イベントスケジュール領域を表示部１１４に表示させ、移動スケジュール領域を、所要時間が平均値となる移動スケジュールの場合の表示サイズで表示部１１４に表示させてもよい。また、スケジュール領域表示部１０２ｅは、イベントスケジュール領域を表示部１１４に表示させ、移動スケジュール領域を、所要時間が最大値となる移動スケジュールの場合の表示サイズで表示部１１４に表示させてもよい。また、スケジュール領域表示部１０２ｅは、イベントスケジュール領域を表示部１１４に表示させ、移動スケジュール領域を、所要時間が最小値となる移動スケジュールの場合の表示サイズで表示部１１４に表示させてもよい。また、スケジュール領域表示部１０２ｅは、イベントスケジュール領域、および、複数に分割された移動スケジュール領域を表示部１１４に表示させてもよい。また、スケジュール領域表示部１０２ｅは、イベントスケジュール領域、および、所要時間が最小となる移動スケジュールを示す移動スケジュール領域を表示部１１４に表示させてもよい。また、スケジュール領域表示部１０２ｅは、更に、スケジュール間領域、スケール情報、および／または、案内経路に関する経路情報を表示部１１４に表示させてもよい。
【００９１】
また、スケジュール領域表示部１０２ｅは、入力部１１８を介して表示部１１４に表示されたイベントスケジュール領域が選択された場合、更に、イベントスケジュール領域の表示サイズの変更を入力するためのつまみ情報、および、変更方向を示す矢印情報を表示部１１４に表示させてもよい。また、スケジュール領域表示部１０２ｅは、入力部１１８を介して表示部１１４に表示された移動スケジュール領域が選択された場合、更に、移動スケジュール領域の移動方向を示す矢印情報を表示部１１４に表示させてもよい。また、スケジュール領域表示部１０２ｅは、更に、移動スケジュールを再探索するか否か問うダイアログボックスを表示部１１４にポップアップ表示させてもよい。また、スケジュール領域表示部１０２ｅは、更に、経路探索条件を含む移動スケジュール生成要求の入力、ならびに、移動スケジュール登録のためのコンボボックスを表示部１１４にポップアップ表示させてもよい。また、スケジュール領域表示部１０２ｅは、更に、端末装置１００の利用者の現在位置情報を表示部１１４に表示させてもよい。また、スケジュール領域表示部１０２ｅは、経路案内情報を表示部１１４に表示させることにより、経路案内を実行してもよい。ここで、スケジュール領域表示部１０２ｅは、入力部１１８を介して経路案内開始要求が入力された場合、経路案内を実行してもよい。また、スケジュール領域表示部１０２ｅは、表示に対応した音声情報（経路案内情報に含まれる音声案内情報等）を音声出力部１１６を介して出力させてもよい。
【００９２】
また、編集要求取得部１０２ｆは、入力部１１８を介して表示部１１４に表示されたイベントスケジュール領域に対する表示サイズ変更指示が入力された場合、当該表示サイズ変更指示に基づき、イベントスケジュールの編集要求を取得する編集要求取得手段である。ここで、表示サイズ変更指示は、表示部１１４に表示されたつまみ情報の表示位置変更指示であってもよい。また、編集要求は、イベントスケジュールに含まれるイベントの時間を変更する要求であってもよい。
【００９３】
また、編集要求送信部１０２ｇは、イベントスケジュールの編集要求をスケジュール管理サーバ２００に送信する編集要求送信手段である。
【００９４】
また、変更要求取得部１０２ｈは、入力部１１８を介して表示部１１４に表示された移動スケジュール領域に対する表示位置変更指示が入力された場合、当該表示位置変更指示に基づき、移動スケジュールの変更要求を取得する変更要求取得手段である。ここで、表示位置変更指示は、交通情報データベース２０６ｃに記憶された時刻表情報に含まれる交通機関の出発時刻または到着時刻に対応する表示位置への変更指示であってもよい。また、変更要求取得部１０２ｈは、入力部１１８を介して表示位置変更指示が入力された場合、当該表示位置変更指示に基づく移動スケジュール領域の移動方向、および、変更後表示位置に応じて、移動スケジュールの出発時刻、または、到着時刻を指定する変更要求を取得してもよい。また、変更要求取得部１０２ｈは、入力部１１８を介して表示部１１４にポップアップ表示されたダイアログボックスに対して移動スケジュールの再探索指示が入力された場合、移動スケジュールの変更要求を取得してもよい。
【００９５】
また、変更要求送信部１０２ｉは、移動スケジュールの変更要求をスケジュール管理サーバ２００に送信する変更要求送信手段である。
【００９６】
以上で、第１の実施形態におけるスケジュール管理システムの構成の一例の説明を終える。
【００９７】
［スケジュール管理システムの処理］
次に、このように構成された第１の実施形態におけるスケジュール管理システムの処理の一例について、以下に図２乃至図１４を参照して詳細に説明する。図２および図３は、第１の実施形態におけるスケジュール管理システムの処理の一例を示すフローチャートである。
【００９８】
図２に示すように、まず、端末装置１００のスケジュール送信部１０２ｂは、利用者により入力部１１８を介してイベントの時間と当該イベントの場所に関する位置情報とを含むイベントスケジュールが入力された場合、当該イベントスケジュールをスケジュール管理サーバ２００に送信する（ステップＳＡ−１）。ここで、イベントスケジュールは、更に、イベントの名称等を含む題目、参加者の氏名、および／または、イベントの概要情報等を含んでいてもよい。
【００９９】
ここで、図４を参照して、本実施形態におけるイベントスケジュールのデータ構造の一例について説明する。図４は、本実施形態におけるイベントスケジュールのデータ構造の一例を示す図である。
【０１００】
図４に示すように、イベントスケジュールには、イベントの名称等を含む題目、イベントの概要情報、イベントの開始時間、イベントの終了時間、イベントの開始予備時間、および、イベントの終了予備時間等から構成されている。ここで、予備時間とは、２つのイベントスケジュール間の時間であって、ユーザがイベントスケジュールの時間を変更することが可能な時間であってもよい。
【０１０１】
図２に戻り、スケジュール管理サーバ２００のスケジュール受信部２０２ａは、端末装置１００から送信されるイベントスケジュールを受信する（ステップＳＡ−２）。
【０１０２】
そして、スケジュール管理サーバ２００のスケジュール登録部２０２ｂは、スケジュール受信部２０２ａにより受信されたイベントスケジュールをスケジュールデータベース２０６ａに登録（格納）する（ステップＳＡ−３）。
【０１０３】
そして、スケジュール管理サーバ２００のスケジュール領域生成部２０２ｆは、スケジュールデータベース２０６ａに記憶されたイベントスケジュールを示すイベントスケジュール領域、および、当該イベントスケジュール間を示すスケジュール間領域を生成する（ステップＳＡ−４）。ここで、領域とは、スケジュールに含まれる時間に基づき表示サイズが設定された、当該表示サイズが変更可能なウィジェット等であってもよい。また、スケジュール領域生成部２０２ｆは、スケジュールデータベース２０６ａに記憶されたイベントスケジュールに含まれる開始予備時間、および、終了予備時間等に基づき、スケジュール間領域を生成してもよい。
【０１０４】
そして、スケジュール管理サーバ２００のスケジュール領域送信部２０２ｇは、スケジュール領域生成部２０２ｆにより生成されたイベントスケジュール領域、スケジュール領域生成部２０２ｆにより生成されたスケジュール間領域、タイムテーブルに関するタイムテーブル情報、時間を示すスケール（例えば、物差し等）に関するスケール情報（例えば、スケールウィジェット等）、イベントスケジュール領域の表示サイズの変更を入力するためのつまみを示すつまみ情報（例えば、つまみウィジェット等）、変更方向または移動方向を示す矢印情報、移動スケジュールを再探索するか否か問うダイアログボックス、および／または、経路探索条件を含む移動スケジュール生成要求の入力および移動スケジュール登録のためのコンボボックスを端末装置１００に送信する（ステップＳＡ−５）。
【０１０５】
そして、端末装置１００のスケジュール領域受信部１０２ｄは、スケジュール管理サーバ２００から送信されるイベントスケジュール領域、スケジュール間領域、タイムテーブル情報、スケール情報、つまみ情報、矢印情報、ダイアログボックス、および、コンボボックスを受信し、受信したこれらの出力情報を出力情報ファイル１０６ａに格納する（ステップＳＡ−６）。ここで、スケジュール領域受信部１０２ｄは、出力情報ファイル１０６ａに既存の出力情報が記憶されている場合、新たに設定された出力情報を、既存の出力情報に上書きして格納してもよい。
【０１０６】
そして、端末装置１００のスケジュール領域表示部１０２ｅは、出力情報ファイル１０６ａに記憶されたタイムテーブル情報上に、出力情報ファイル１０６ａに記憶されたイベントスケジュール領域、および、出力情報ファイル１０６ａに記憶されたスケジュール間領域を重畳して表示部１１４に表示させる（ステップＳＡ−７）。
【０１０７】
ここで、図５を参照して、本実施形態における表示画面の一例について説明する。図５は、本実施形態における表示画面の一例を示す図である。
【０１０８】
図５に示すように、スケジュール領域表示部１０２ｅは、タイムテーブル情報１上に、イベントの位置情報を「中Ｏ区Ｇ座」、イベントの概要情報を「レストランＡで昼食」、イベントの開始時刻を「１２：２０」、および、イベントの終了時刻を「１３：５５」として含むイベントスケジュールを示すイベントスケジュール領域２、イベントの位置情報を「Ｍ黒区Ｊ丘」、イベントの概要情報を「図書館Ｂで読書」、イベントの開始時刻を「１６：００」、および、イベントの終了時刻を「１７：３０」として含むイベントスケジュールを示すイベントスケジュール領域３、および、スケジュール間領域４を重畳したスケジューラの表示イメージを表示部１１４に表示させている。このように、ユーザがスケジューラに対して、イベントの題目、概要情報、開始時刻、および、終了時刻などをひとつのイベントスケジュールとして登録すると、グラフ状に表示される。二つ以上のスケジュールが登録されるとスケジュール間に帯、すなわち、スケジュール間領域が表示される。
【０１０９】
図２に戻り、端末装置１００の制御部１０２は、イベントスケジュール領域と、移動スケジュール領域と、が表示部１１４に重なって表示されているか否か判定する（ステップＳＡ−８）。
【０１１０】
そして、端末装置１００の制御部１０２は、ステップＳＡ−８にてイベントスケジュール領域と、移動スケジュール領域と、が重なって表示されていないと判定した場合（ステップＳＡ−８：Ｎｏ）、利用者により入力部１１８を介して、表示部１１４に表示されたイベントスケジュール領域が選択されたか否か判定する（ステップＳＡ−１１）。
【０１１１】
そして、端末装置１００のスケジュール領域表示部１０２ｅは、ステップＳＡ−１１にて制御部１０２によりイベントスケジュール領域が選択されたと判定された場合（ステップＳＡ−１１：Ｙｅｓ）、更に、当該イベントスケジュール領域上に、出力情報ファイル１０６ａに記憶されたつまみ情報を重畳して表示部１１４に表示させる（ステップＳＡ−１３）。
【０１１２】
ここで、図６を参照して、本実施形態におけるイベントスケジュール領域編集処理の一例について説明する。図６は、本実施形態における表示画面の一例を示す図である。
【０１１３】
図６（１）に示すように、利用者によりイベントスケジュール領域２が選択された場合、図６（２）に示すように、スケジュール領域表示部１０２ｅは、イベントスケジュール領域２上に、つまみ情報５を重畳して表示部１１４に表示させている。
【０１１４】
図２に戻り、端末装置１００の制御部１０２は、利用者により入力部１１８を介して、表示部１１４に表示されたつまみ情報が選択されているか否か判定する（ステップＳＡ−１４）。
【０１１５】
そして、端末装置１００の制御部１０２は、ステップＳＡ−１４にてつまみ情報が選択されていないと判定した場合（ステップＳＡ−１４：Ｎｏ）、つまみ情報の表示を消し、処理をステップＳＡ−１１に移行させる。
【０１１６】
一方、端末装置１００のスケジュール領域表示部１０２ｅは、ステップＳＡ−１４にて制御部１０２によりつまみ情報が選択されていると判定された場合（ステップＳＡ−１４：Ｙｅｓ）、更に、出力情報ファイル１０６ａに記憶された矢印情報、および／または、出力情報ファイル１０６ａに記憶されたスケール情報を表示部１１４に表示させる（ステップＳＡ−１５）。
【０１１７】
ここで、図６を参照して、本実施形態におけるイベントスケジュール編集処理の一例について説明する。
【０１１８】
図６（３）に示すように、スケジュール領域表示部１０２ｅは、利用者によりつまみ情報５が選択された場合、つまみ情報５上に、矢印情報６を重畳して表示部１１４に表示させている。また、図６（６）に示すように、スケジュール領域表示部１０２ｅは、利用者によりイベントスケジュール領域２が選択された場合、スケール情報７上に、つまみ情報５を重畳し、つまみ情報５上に、矢印情報６を重畳して表示部１１４に表示させている。
【０１１９】
図２に戻り、端末装置１００の制御部１０２は、利用者により入力部１１８を介して、選択されたつまみ情報の移動に基づくイベントスケジュール領域に対する表示サイズ変更指示が入力されたか否か判定する（ステップＳＡ−１６）。
【０１２０】
そして、端末装置１００の制御部１０２は、ステップＳＡ−１６にてイベントスケジュール領域に対する表示サイズ変更指示が入力されていないと判定した場合（ステップＳＡ−１６：Ｎｏ）、つまみ情報、矢印情報、および、スケール情報の表示を消し、処理をステップＳＡ−１１に移行させる。
【０１２１】
一方、端末装置１００のスケジュール領域表示部１０２ｅは、ステップＳＡ−１６にて制御部１０２によりイベントスケジュール領域に対する表示サイズ変更指示が入力されたと判定された場合（ステップＳＡ−１６：Ｙｅｓ）、つまみ情報、矢印情報、および、スケール情報の表示を消し、イベントスケジュール領域の表示サイズを当該表示サイズ変更指示に基づき変更して表示部１１４に表示させる（ステップＳＡ−１７）。
【０１２２】
ここで、図６を参照して、本実施形態におけるイベントスケジュール編集処理の一例について説明する。
【０１２３】
図６（４）に示すように、利用者によるつまみ情報５の移動に基づくイベントスケジュール領域２に対する表示サイズ変更（拡大）指示が入力された場合、図６（５）に示すように、スケジュール領域表示部１０２ｅは、つまみ情報５、および、矢印情報６の表示を消し、当該表示サイズ変更指示に基づき表示サイズを、開始時刻を早める方向に拡大したイベントスケジュール領域２を表示部１１４に表示させている。また、図６（７）に示すように、利用者によるつまみ情報５の移動に基づくイベントスケジュール領域２に対する表示サイズ変更（拡大）指示が入力された場合、図６（８）に示すように、スケジュール領域表示部１０２ｅは、つまみ情報５、矢印情報６、および、スケール情報７の表示を消し、当該表示サイズ変更指示に基づき表示サイズを、開始時刻を早める方向に拡大したイベントスケジュール領域２を表示部１１４に表示させている。
【０１２４】
また、図６（９）に示すように、利用者によるつまみ情報５の移動に基づくイベントスケジュール領域２に対する表示サイズ変更（縮小）指示が入力された場合、図６（１０）に示すように、スケジュール領域表示部１０２ｅは、つまみ情報５、矢印情報６、および、スケール情報７の表示を消し、当該表示サイズ変更指示に基づき表示サイズを、開始時刻を遅らせる方向に縮小したイベントスケジュール領域２を表示部１１４に表示させている。このように、登録された画面上のイベントスケジュール領域を選択した状態で、イベントスケジュール領域の上辺または下辺を掴み、上下動することで登録されたイベントスケジュールの時間帯を変更できる。また、イベントスケジュール領域を選択するとつまみウィジェットが表示されるが、このつまみウィジェットを掴み上下動することでイベントスケジュールの開始時刻または終了時刻の微調整ができる。つまみウィジェットを選択した際にはスケールウィジェットが表示され、スケールウィジェットでのつまみウィジェットの動き幅に応じた調整時間が設定される。微調整されたイベントスケジュールの時間帯は色を変更するなどの効果を加えてグラフに表示してもよい。すなわち、つまみウィジェットを上下動することでユーザは直感的に予備時間を調整可能となる。また、予備時間はイベントスケジュールの開始前だけでなく開始後にも柔軟に設定できる。また、つまみウィジェットの選択時にスケールウィジェットを表示させ、スケジューラ自体の時間スケールとは独立して細かい時間単位での調整が可能となっている。
【０１２５】
図２に戻り、端末装置１００の編集要求取得部１０２ｆは、利用者により入力部１１８を介して入力された表示サイズ変更指示に基づき、イベントスケジュールに含まれるイベントの時間（例えば、開始時刻、および／または、終了時刻等）を変更する編集要求を取得する（ステップＳＡ−１８）。
【０１２６】
そして、端末装置１００の編集要求送信部１０２ｇは、編集要求取得部１０２ｆにより取得されたイベントスケジュールの編集要求をスケジュール管理サーバ２００に送信し（ステップＳＡ−１９）、処理をステップＳＡ−８に移行させる。
【０１２７】
そして、スケジュール管理サーバ２００の編集要求受信部２０２ｈは、端末装置１００から送信されるイベントスケジュールの編集要求を受信する（ステップＳＡ−２０）。
【０１２８】
そして、スケジュール管理サーバ２００の編集部２０２ｉは、編集要求受信部２０２ｈにより受信されたイベントスケジュールの編集要求に基づき、スケジュールデータベース２０６ａに記憶されたイベントスケジュールに含まれるイベントの時間を変更（編集）する（ステップＳＡ−２１）。
【０１２９】
一方、端末装置１００の制御部１０２は、ステップＳＡ−１１にてイベントスケジュール領域が選択されていないと判定した場合（ステップＳＡ−１１：Ｎｏ）、利用者により入力部１１８を介して、表示部１１４に表示されたスケジュール間領域が選択されたか否か判定する（ステップＳＡ−１２）。
【０１３０】
そして、端末装置１００の制御部１０２は、ステップＳＡ−１２にてスケジュール間領域が選択されていないと判定した場合（ステップＳＡ−１２：Ｎｏ）、処理を終了する。
【０１３１】
一方、端末装置１００のスケジュール領域表示部１０２ｅは、ステップＳＡ−１２にて制御部１０２によりスケジュール間領域が選択されたと判定された場合（ステップＳＡ−１２：Ｙｅｓ）、更に、経路探索条件を含む移動スケジュール生成要求の入力、および、移動スケジュール登録のためのコンボボックスを表示部１１４にポップアップ表示させる（ステップＳＡ−２２）。
【０１３２】
ここで、図７を参照して、本実施形態における経路探索条件を含む移動スケジュール生成要求の入力のためのコンボボックスの一例について説明する。図７は、本実施形態における表示画面の一例を示す図である。
【０１３３】
図７に示すように、スケジュール領域表示部１０２ｅは、利用者によりスケジュール間領域４が選択された場合、経路探索条件を含む移動スケジュール生成要求の入力、および、移動スケジュール登録のためのコンボボックス８を表示部１１４にポップアップ表示させている。このように、利用者がスケジュール間の帯を選択すると、スケジュール間の移動経路を検索するための画面が表示される。
【０１３４】
図３に戻り、端末装置１００の制御部１０２は、利用者により入力部１１８を介して、表示部１１４に表示されたコンボボックスに対して、出発時刻または到着時刻を含む経路探索条件を含む移動スケジュール生成要求が入力されたか否か判定する（ステップＳＡ−２３）。ここで、経路探索条件は、更に、経由地、移動手段（例えば、交通機関利用、徒歩利用、自転車利用、または、自動車利用等）、および／または、経由時刻等を含んでいてもよい。
【０１３５】
そして、端末装置１００の制御部１０２は、ステップＳＡ−２３にて移動スケジュール生成要求が入力されていないと判定した場合（ステップＳＡ−２３：Ｎｏ）、コンボボックスのポップアップ表示を消し、処理を終了する。
【０１３６】
一方、端末装置１００の移動スケジュール生成要求送信部１０２ｃは、ステップＳＡ−２３にて移動スケジュール生成要求が入力されたと判定した場合（ステップＳＡ−２３：Ｙｅｓ）、当該移動スケジュール生成要求をスケジュール管理サーバ２００に送信する（ステップＳＡ−２４）。
【０１３７】
そして、スケジュール管理サーバ２００の移動スケジュール生成要求受信部２０２ｃは、端末装置１００から送信される移動スケジュール生成要求を受信する（ステップＳＡ−２５）。
【０１３８】
そして、スケジュール管理サーバ２００の移動スケジュール生成部２０２ｄは、移動スケジュール生成要求受信部２０２ｃにより受信された移動スケジュール生成要求に基づき、２つのイベントスケジュールに含まれる位置情報に基づく２つのイベントの場所を出発地および目的地として、当該移動スケジュール生成要求に含まれる経路探索条件を満たす当該出発地から当該目的地までの案内経路を、交通情報データベース２０６ｃに記憶された交通情報に基づいて、ネットワーク情報データベース２０６ｂに記憶されたネットワーク情報を用いて探索し、当該案内経路に関する経路情報を含む移動スケジュールを生成する（ステップＳＡ−２６）。ここで、経路情報は、案内経路の位置情報だけでなく、出発時刻、到着時刻、および、案内経路の所要時間（例えば、所要時間の平均値、最大値、および、最小値等）等を含んでいてもよい。
【０１３９】
そして、スケジュール管理サーバ２００の経路案内情報生成部２０２ｅは、移動スケジュール生成部２０２ｄにより生成された移動スケジュールに含まれる経路情報、および、地図情報データベース２０６ｄに記憶された、案内経路を含む地図に関する地図情報を含む経路案内情報を生成する（ステップＳＡ−２７）。ここで、経路案内情報は、更に、案内情報データベース２０６ｅに記憶された、案内経路上において出力される案内情報（表示案内情報および音声案内情報等）を含んでいてもよい。
【０１４０】
そして、スケジュール管理サーバ２００のスケジュール領域生成部２０２ｆは、移動スケジュール生成部２０２ｄにより生成された移動スケジュールを示す移動スケジュール領域を生成する（ステップＳＡ−２８）。
【０１４１】
そして、スケジュール管理サーバ２００のスケジュール領域送信部２０２ｇは、ステップＳＡ−２８にてスケジュール領域生成部２０２ｆにより生成された移動スケジュール領域、および、経路案内情報生成部２０２ｅにより生成された経路案内情報を端末装置１００に送信する（ステップＳＡ−２９）。
【０１４２】
そして、端末装置１００のスケジュール領域受信部１０２ｄは、ステップＳＡ−２９にてスケジュール管理サーバ２００から送信される移動スケジュール領域、および、経路案内情報を受信し、受信した移動スケジュール領域、および、経路案内情報を出力情報ファイル１０６ａに格納する（ステップＳＡ−３０）。
【０１４３】
そして、端末装置１００のスケジュール領域表示部１０２ｅは、表示部１１４に表示されたコンボボックスに、出力情報ファイル１０６ａに記憶された経路案内情報に含まれる経路情報を表示させる（ステップＳＡ−３１）。
【０１４４】
ここで、図７を参照して、本実施形態における経路情報表示の一例について説明する。
【０１４５】
図７に示すように、スケジュール領域表示部１０２ｅは、表示部１１４に表示されたコンボボックス８に、経路情報９を表示させている。ここで、経路情報９には、経路探索条件入力において調整した発着時刻が反映されている。
【０１４６】
図３に戻り、端末装置１００の制御部１０２は、利用者により入力部１１８を介して、表示部１１４に表示された経路情報が登録されたか否か判定する（ステップＳＡ−３２）。
【０１４７】
そして、端末装置１００の制御部１０２は、ステップＳＡ−３２にて経路情報が登録されていないと判定した場合（ステップＳＡ−３２：Ｎｏ）、処理をステップＳＡ−２３に移行させる。
【０１４８】
一方、端末装置１００のスケジュール領域表示部１０２ｅは、ステップＳＡ−３２にて制御部１０２により経路情報が登録されたと判定された場合（ステップＳＡ−３２：Ｙｅｓ）、コンボボックスをポップアップ表示させている場合、当該ポップアップ表示を消し、更に、スケジュール間領域上に、移動スケジュール領域を重畳して表示部１１４に表示させる（ステップＳＡ−３３）。ここで、スケジュール領域表示部１０２ｅは、移動スケジュール領域を、所要時間が平均値となる移動スケジュールの場合の表示サイズで表示部１１４に表示させてもよい。また、スケジュール領域表示部１０２ｅは、移動スケジュール領域を、所要時間が最大値となる移動スケジュールの場合の表示サイズで表示部１１４に表示させてもよい。また、スケジュール領域表示部１０２ｅは、移動スケジュール領域を、所要時間が最小値となる移動スケジュールの場合の表示サイズで表示部１１４に表示させてもよい。また、スケジュール領域表示部１０２ｅは、移動スケジュール領域を、複数に分割させて表示部１１４に表示させてもよい。また、スケジュール領域表示部１０２ｅは、更に、所要時間が最小となる移動スケジュールを示す移動スケジュール領域を表示部１１４に表示させてもよい。また、スケジュール領域表示部１０２ｅは、利用者により入力部１１８を介して、経路案内開始要求が入力された場合、出力情報ファイル１０６ａに記憶された経路案内情報、および、現在位置情報取得部１０２ａにより取得された端末装置１００の利用者の現在位置情報を表示部１１４に表示させることにより、経路案内を実行してもよい。また、スケジュール領域表示部１０２ｅは、表示に対応した音声情報（経路案内情報に含まれる音声案内情報等）を音声出力部１１６を介して出力させてもよい。
【０１４９】
ここで、図８を参照して、本実施形態における移動スケジュール領域の一例について説明する。図８は、本実施形態における表示画面の一例を示す図である。
【０１５０】
図８に示すように、スケジュール領域表示部１０２ｅは、タイムテーブル情報１上に、イベントスケジュール領域２、イベントスケジュール領域３、および、スケジュール間領域４を重畳し、当該スケジュール間領域４上に、移動スケジュール領域１０を重畳して表示部１１４に表示させている。このように、移動スケジュールが登録された状態が表示されている。すなわち、経路検索結果を登録した後、移動時間にあたる時間帯について帯の色が変化して表示されている。
【０１５１】
図３に戻り、端末装置１００の制御部１０２は、利用者により入力部１１８を介して、表示部１１４に表示された移動スケジュール領域が選択されたか否か判定する（ステップＳＡ−３４）。
【０１５２】
そして、端末装置１００の制御部１０２は、ステップＳＡ−３４にて移動スケジュール領域が選択されていないと判定した場合（ステップＳＡ−３４：Ｎｏ）、処理をステップＳＡ−８に移行させる。
【０１５３】
一方、端末装置１００のスケジュール領域表示部１０２ｅは、ステップＳＡ−３４にて制御部１０２により移動スケジュール領域が選択されたと判定された場合（ステップＳＡ−３４：Ｙｅｓ）、更に、当該移動スケジュール領域上に、出力情報ファイル１０６ａに記憶された当該移動スケジュール領域の移動方向を示す矢印情報を重畳して表示部１１４に表示させる（ステップＳＡ−３５）。
【０１５４】
ここで、図９を参照して、本実施形態における移動スケジュール領域の移動方向を示す矢印情報の一例について説明する。図９は、本実施形態における表示画面の一例を示す図である。
【０１５５】
図９に示すように、スケジュール領域表示部１０２ｅは、移動スケジュール領域１０が選択された場合、当該移動スケジュール領域１０上に、当該移動スケジュール領域１０の移動方向を示す矢印情報１１を重畳して表示部１１４に表示させている。
【０１５６】
図３に戻り、端末装置１００の制御部１０２は、利用者により入力部１１８を介して、表示部１１４に表示された移動スケジュール領域に対する表示位置変更指示が入力されたか否か判定する（ステップＳＡ−３６）。ここで、表示位置変更指示は、交通情報データベース２０６ｃに記憶された時刻表情報に含まれる交通機関の出発時刻または到着時刻に対応する表示位置への変更指示であってもよい。
【０１５７】
そして、端末装置１００の制御部１０２は、ステップＳＡ−３６にて移動スケジュール領域に対する表示位置変更指示が入力されていないと判定した場合（ステップＳＡ−３６：Ｎｏ）、矢印情報の表示を消し、処理をステップＳＡ−８に移行させる。
【０１５８】
一方、端末装置１００の変更要求取得部１０２ｈは、ステップＳＡ−３６にて制御部１０２により移動スケジュール領域に対する表示位置変更指示が入力されたと判定された場合（ステップＳＡ−３６：Ｙｅｓ）、矢印情報の表示を消し、当該表示位置変更指示に基づき、移動スケジュールの変更要求を取得する（ステップＳＡ−３７）。ここで、変更要求取得部１０２ｈは、制御部１０２により移動スケジュール領域に対する表示位置変更指示が入力されたと判定された場合、当該表示位置変更指示に基づく移動スケジュール領域の移動方向、および、変更後表示位置に応じて、移動スケジュールの出発時刻、または、到着時刻を指定する変更要求を取得してもよい。また、変更要求取得部１０２ｈは、入力部１１８を介して表示部１１４にポップアップ表示されたダイアログボックスに対して移動スケジュールの再探索指示が入力された場合、当該再探索指示に基づく移動スケジュールの変更要求を取得してもよい。また、変更要求は、移動スケジュールの出発時刻、および／または、到着時刻を、イベントスケジュールに含まれる時間内に設定する要求であってもよい。また、変更要求は、移動スケジュールの出発時刻、または、到着時刻を指定（変更）する要求であってもよい。
【０１５９】
そして、端末装置１００の変更要求送信部１０２ｉは、移動スケジュールの変更要求をスケジュール管理サーバ２００に送信する（ステップＳＡ−３８）。
【０１６０】
そして、スケジュール管理サーバ２００の変更要求受信部２０２ｊは、端末装置１００から送信される移動スケジュールの変更要求を受信する（ステップＳＡ−３９）。
【０１６１】
そして、スケジュール管理サーバ２００の移動スケジュール再生成部２０２ｋは、変更要求受信部２０２ｊにより受信された移動スケジュールの変更要求に基づき、端末装置１００の表示部１１４に表示された移動スケジュール領域に基づく移動スケジュールとは異なる、２つのイベントスケジュールに含まれる位置情報に基づく２つのイベントの場所を出発地および目的地として、当該出発地から当該目的地までの案内経路を、交通情報データベース２０６ｃに記憶された交通情報に基づいて、ネットワーク情報データベース２０６ｂに記憶されたネットワーク情報を用いて探索し、当該案内経路に関する経路情報を含む移動スケジュールを生成する（ステップＳＡ−４０）。
【０１６２】
そして、スケジュール管理サーバ２００の経路案内情報生成部２０２ｅは、移動スケジュール再生成部２０２ｋにより生成された移動スケジュールに含まれる経路情報、および、地図情報データベース２０６ｄに記憶された、案内経路を含む地図に関する地図情報を含む経路案内情報を生成する（ステップＳＡ−４１）。
【０１６３】
そして、スケジュール管理サーバ２００のスケジュール領域生成部２０２ｆは、移動スケジュール再生成部２０２ｋにより生成された移動スケジュールを示す移動スケジュール領域を生成する（ステップＳＡ−４２）。
【０１６４】
そして、スケジュール管理サーバ２００のスケジュール領域送信部２０２ｇは、ステップＳＡ−４２にてスケジュール領域生成部２０２ｆにより生成された移動スケジュール領域、および、ステップＳＡ−４１にて経路案内情報生成部２０２ｅにより生成された経路案内情報を端末装置１００に送信する（ステップＳＡ−４３）。
【０１６５】
そして、端末装置１００のスケジュール領域受信部１０２ｄは、ステップＳＡ−４３にてスケジュール管理サーバ２００から送信される移動スケジュール領域、および、経路案内情報を受信し、受信した移動スケジュール領域、および、経路案内情報を出力情報ファイル１０６ａに格納し（ステップＳＡ−４４）、処理をステップＳＡ−３３に移行させる。
【０１６６】
ここで、図９および図１０を参照して、本実施形態における移動スケジュール変更処理の一例について説明する。図１０は、本実施形態における表示画面の一例を示す図である。
【０１６７】
図９において、利用者により移動スケジュール領域に対する表示位置変更指示（例えば、移動スケジュール領域を上下にずらす指示）が入力された場合、スケジュール管理サーバ２００にて再探索経路に関する経路情報を含む移動スケジュールが再生成され、図１０に示すように、スケジュール領域表示部１０２ｅは、矢印情報１１の表示を消し、スケジュール間領域４上に、当該移動スケジュールを示す移動スケジュール領域１０を重畳して表示部１１４に表示させている。このように、２つのイベントスケジュール間に移動スケジュールを設けることで、ユーザは移動スケジュールを画面上において視覚的に判断しながら動的に編集可能となる。すなわち、ユーザにより移動スケジュール領域が画面上でずらされる度に、案内経路の再探索が行なわれ、移動スケジュールが変更される。また、イベントスケジュールの開始時間や終了時間を変更すること無く、移動スケジュールの発着時間の微調整を行えるので、当該発着時間の調整のために直接イベントスケジュール自体の時間を編集しなくてもよい。また、移動スケジュールの微調整を複数回行った場合、イベントスケジュールの時間が識別困難になる場合があるが、イベントスケジュールに対する予備時間を用いることでこのような状況を回避している。つまり、ユーザが移動スケジュール領域を上下方向にずらし、確定用の操作を行うと、当該位置に基づいて、案内経路の再探索が行なわれる。
【０１６８】
ここで、表示位置変更指示が入力された際に、移動スケジュール領域の最上部を基準に出発時刻指定がされてもよいし、最下部を基準に到着時刻指定がされてもよい。なお、ユーザが上方向に移動スケジュール領域を移動した場合、到着時刻に問題があるため再探索要求をしたものとみなして到着時刻指定としてもよい。また、ユーザが下方向に移動スケジュール領域を移動した場合、出発時刻に問題があるため再探索要求をしたものとみなして出発時刻指定としてもよい。また、ユーザが移動スケジュール領域を動かしている際に、移動スケジュール領域の大きさを、移動する前の大きさのまま移動させてもよいし、平均探索の時間に基づいた大きさにするようにしてもよい。また、移動スケジュール領域の大きさを、イベントスケジュール間における最大の所要時間に基づいた大きさにしてもよいし、スケジュール間における最小の所要時間に基づいた大きさにしてもよい。また、最大の所要時間と最小の所要時間をそれぞれ表した図形を併せて出力させるようにしてもよい。また、移動スケジュールとスケジュールとを一定時間分重複するようにしてもよい。ここで、重複させる許容量としては、本システム側においてデフォルトで決めておいてもよいし、ユーザ指定で決めるようにしてもよい。
【０１６９】
また、移動スケジュール領域のスライドする間隔は、乗車する時刻表の間隔に基づいて移動するようにしてもよい。この際に、スライドさせる間隔は、複数路線で移動する場合には、それぞれの時刻表を参照して、間隔が大きい時刻表に基づいてスライドさせてもよいし、ユーザの操作方向に合わせていずれの時刻表を基準にスライドさせるか決定してもよい。例えば、移動スケジュール領域のスライドする間隔は、上方向から下方向に移動させる場合には、最初に乗る路線の電車を後の電車にしたいという意思があるとみなして、最初に乗る路線の時刻表に基づいてスライドさせ、下方向から上方向に移動させる場合には、最後に乗る路線の電車を早めたいという意思があるとみなして、最後に乗る路線の時刻表に基づいてスライドさせてもよい。また、移動スケジュール領域を時刻表に基づいてスライドさせる場合には、スライドさせる間隔が分かるように、スケールを横に表示するようにしてもよい。但し、路線の時間間隔が短い場合には、表示しないようにしてもよい。また、２つのイベントスケジュール間の、最小移動時間を所定のタイミング（例えば、移動スケジュール領域の移動要求時等）に図示してもよい。また、移動スケジュール領域は、複数の移動スケジュール領域に分けるようにしてもよく、例えば、路線毎や、移動手段毎に分けるようにしてもよい。
【０１７０】
図２に戻り、端末装置１００のスケジュール領域表示部１０２ｅは、ステップＳＡ−８にて制御部１０２によりイベントスケジュール領域と、移動スケジュール領域と、が重なって表示されていると判定された場合（ステップＳＡ−８：Ｙｅｓ）、更に、移動スケジュールを再探索するか否か問うダイアログボックスを表示部１１４にポップアップ表示させる（ステップＳＡ−９）。
【０１７１】
ここで、図１１乃至図１３を参照して、本実施形態におけるダイアログボックスの一例について説明する。図１１乃至図１３は、本実施形態における表示画面の一例を示す図である。
【０１７２】
図１１に示すように、利用者によるつまみ情報５の移動に基づくイベントスケジュール領域３のサイズ変更（拡大）がされた際に、イベントスケジュール領域３と移動スケジュール領域１０とが重なった場合、図１２に示すように、スケジュール領域表示部１０２ｅは、移動スケジュールを再探索するか否か問うダイアログボックス１２を表示部１１４にポップアップ表示させている。ここで、図１３に示すように、利用者により移動スケジュール領域１０の表示位置が変更された際に、イベントスケジュール領域２と移動スケジュール領域１０とが重なった場合にも、スケジュール領域表示部１０２ｅは、移動スケジュールを再探索するか否か問うダイアログボックス１２を表示部１１４にポップアップ表示させてもよい。このように、経路検索結果である移動スケジュールが登録されている状態でスケジュールの微調整を行い、イベントスケジュールと移動スケジュールに競合が発生した場合、警告ダイアログを表示して経路の再検索を促している。
【０１７３】
図２に戻り、端末装置１００の制御部１０２は、利用者により入力部１１８を介して、表示部１１４にポップアップ表示されたダイアログボックスに対して移動スケジュールの再探索指示が入力されたか否か判定する（ステップＳＡ−１０）。
【０１７４】
そして、端末装置１００の制御部１０２は、ステップＳＡ−１０にて移動スケジュールの再探索指示が入力されたと判定した場合（ステップＳＡ−１０：Ｙｅｓ）、当該ダイアログボックスのポップアップ表示を消し、処理をステップＳＡ−３７に移行させる。
【０１７５】
一方、端末装置１００の制御部１０２は、ステップＳＡ−１０にて移動スケジュールの再探索指示が入力されていないと判定した場合（ステップＳＡ−１０：Ｎｏ）、当該ダイアログボックスのポップアップ表示を消し、処理をステップＳＡ−１１に移行させる。
【０１７６】
ここで、図１２および図１４を参照して、本実施形態における移動スケジュール再探索の一例について説明する。図１４は、本実施形態における表示画面の一例を示す図である。
【０１７７】
図１２に示すダイアログボックス１２の「はい」が利用者により選択された場合、スケジュール管理サーバ２００にてイベントスケジュールと時間が重ならない移動スケジュールが再生成され、図１４に示すように、スケジュール領域表示部１０２ｅは、ダイアログボックス１２のポップアップ表示を消し、スケジュール間領域４上に、当該移動スケジュールを示す移動スケジュール領域１０を重畳して表示部１１４に表示させている。このように、移動スケジュールの再検索が実施され、スケジュールの微調整時間を反映した案内経路が登録され直す。また、最初に登録したスケジュールの時間帯ではなく、ユーザが調整した時間帯に対して経路探索やスケジュール変更時の競合判定を行うため、経路探索もまたユーザ側にとって簡便に再試行しやすくなる。
【０１７８】
以上で、第１の実施形態におけるスケジュール管理システムの処理の一例の説明を終える。
【０１７９】
［第２の実施形態］
続いて、本発明の第２の実施形態（スケジュール管理サーバ２００（サーバ主導型））について、図１５乃至図１７を参照して以下に説明する。ここで、図１５は、第２の実施形態におけるスケジュール管理サーバ２００の構成の一例を示すブロック図であり、該構成のうち本発明に関係する部分のみを概念的に示している。
【０１８０】
なお、第２の実施形態においては、スケジュール管理サーバ２００にて端末装置１００の表示部１１４に表示させるデータを生成し、これらのデータを端末装置１００に送信することにより、当該端末装置１００の表示部１１４を機能させている。このように、第２の実施形態は、スケジュール管理サーバ２００にてサーバ主導で処理を行う点がその他の実施形態と異なる。
【０１８１】
［スケジュール管理サーバ２００（サーバ主導型）の構成］
まず、第２の実施形態におけるスケジュール管理サーバ２００（サーバ主導型）の構成の一例について、図１５を参照して以下に説明する。
【０１８２】
図１５に示すように、本発明の第２の実施形態のスケジュール管理サーバ２００は、位置取得部１１２と出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらスケジュール管理サーバ２００および端末装置１００の各部は任意の通信路を介して通信可能に接続されている。
【０１８３】
図１５において、スケジュール管理サーバ２００は、２つのイベントスケジュール間の移動スケジュールを、ネットワーク情報を用いて生成し、イベントスケジュールを示すイベントスケジュール領域、および、移動スケジュールを示す移動スケジュール領域を含む表示情報を生成し、表示情報を含む出力制御情報を端末装置１００へ送信することにより、当該表示情報を当該端末装置１００の表示部１１４に表示させ、端末装置１００の入力部１１８を介して端末装置１００の表示部１１４に表示された表示情報に含まれる移動スケジュール領域に対する表示位置変更指示が入力された場合、端末装置１００から送信される当該表示位置変更指示を受信し、表示位置変更指示に基づき、移動スケジュールの変更要求を取得し、変更要求に基づき、端末装置１００の表示部１１４に表示された移動スケジュール領域に基づく移動スケジュールとは異なる、２つのイベントスケジュール間の移動スケジュールを、ネットワーク情報を用いて生成する等の機能を有する。
【０１８４】
なお、スケジュール管理サーバ２００における通信制御インターフェース部２０４および記憶部２０６（スケジュールデータベース２０６ａ、ネットワーク情報データベース２０６ｂ、交通情報データベース２０６ｃ、地図情報データベース２０６ｄ、および、案内情報データベース２０６ｅ等）の機能、また、端末装置１００における位置取得部１１２、表示部１１４、音声出力部１１６、および、入力部１１８の機能は、第１の実施形態と同様であるため説明を省略する。
【０１８５】
また、図１５において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、スケジュール受信部２０２ａ、スケジュール登録部２０２ｂ、移動スケジュール生成要求受信部２０２ｃ、移動スケジュール生成部２０２ｄ、経路案内情報生成部２０２ｅ、スケジュール領域生成部２０２ｆ、編集部２０２ｉ、移動スケジュール再生成部２０２ｋ、現在位置情報取得部２０２ｍ、表示情報生成部２０２ｎ、出力制御部２０２ｐ、編集要求取得部２０２ｑ、および、変更要求取得部２０２ｒを備える。なお、スケジュール受信部２０２ａ、スケジュール登録部２０２ｂ、移動スケジュール生成要求受信部２０２ｃ、移動スケジュール生成部２０２ｄ、経路案内情報生成部２０２ｅ、スケジュール領域生成部２０２ｆ、編集部２０２ｉ、および、移動スケジュール再生成部２０２ｋの機能は、第１の実施形態と同様であるため説明を省略する。
【０１８６】
このうち、現在位置情報取得部２０２ｍは、端末装置１００の利用者の現在位置情報を取得する現在位置情報取得手段である。ここで、現在位置情報取得部２０２ｍは、端末装置１００の利用者の現在位置情報を所定時間ごと（例えば、１秒ごと、または、３分ごと等）に、すなわち、所定周期で取得してもよい。また、現在位置情報取得部２０２ｍは、端末装置１００の位置取得部１１２にて位置発信装置５００から受信した位置情報信号を端末装置１００から受信し、当該位置情報信号から算出した位置情報を端末装置１００の利用者の現在位置情報として取得してもよい。また、現在位置情報取得部２０２ｍは、利用者により端末装置１００の入力部１１８を介して入力された現在位置についての位置座標等の位置情報を受信し、当該位置情報を端末装置１００の利用者の現在位置情報として取得してもよい。
【０１８７】
また、表示情報生成部２０２ｎは、表示情報を生成する表示情報生成手段である。ここで、表示情報生成部２０２ｎは、イベントスケジュール領域、および／または、移動スケジュール領域を含む表示情報を生成してもよい。また、表示情報生成部２０２ｎは、更に、タイムテーブルに関するタイムテーブル情報を含む表示情報を生成してもよい。また、移動スケジュール領域は、所要時間が平均値となる移動スケジュールの場合の表示サイズであってよい。また、移動スケジュール領域は、所要時間が最大値となる移動スケジュールの場合の表示サイズであってもよい。また、移動スケジュール領域は、所要時間が最小値となる移動スケジュールの場合の表示サイズであってもよい。また、表示情報生成部２０２ｎは、イベントスケジュール領域、および、複数に分割された移動スケジュール領域を含む表示情報を生成してもよい。また、表示情報生成部２０２ｎは、イベントスケジュール領域、および、所要時間が最小となる移動スケジュールを示す移動スケジュール領域を含む表示情報を生成してもよい。また、表示情報生成部２０２ｎは、更に、スケジュール間領域、スケール情報、および／または、案内経路に関する経路情報を含む表示情報を生成してもよい。
【０１８８】
また、表示情報生成部２０２ｎは、更に、イベントスケジュール領域の表示サイズの変更を入力するためのつまみ情報、および、変更方向を示す矢印情報を含む表示情報を生成してもよい。また、表示情報生成部２０２ｎは、更に、移動スケジュール領域の移動方向を示す矢印情報を含む表示情報を生成してもよい。また、表示情報生成部２０２ｎは、更に、移動スケジュールを再探索するか否か問うダイアログボックスを含む表示情報を生成してもよい。また、表示情報生成部２０２ｎは、更に、経路探索条件を含む移動スケジュール生成要求の入力、ならびに、移動スケジュール登録のためのコンボボックスを含む表示情報を生成してもよい。また、表示情報生成部２０２ｎは、更に、経路案内情報を含む表示情報を生成してもよい。また、表示情報生成部２０２ｎは、更に、端末装置１００の利用者の現在位置情報を含む表示情報を生成してもよい。ここで、表示情報は、端末装置１００の表示部１１４に表示させる情報（例えば、画像、文字情報、または、表示画面等）であってもよい。
【０１８９】
また、出力制御部２０２ｐは、表示情報を含む出力制御情報を端末装置１００へ送信することにより、当該出力制御情報を当該端末装置１００の出力部を介して出力させる出力制御手段である。ここで、出力制御部２０２ｐは、表示情報を含む出力制御情報を端末装置１００に送信することにより、当該表示情報を当該端末装置１００の表示部１１４に表示させてもよい。また、出力制御部２０２ｐは、端末装置１００の入力部１１８を介して端末装置１００の表示部１１４に表示されたイベントスケジュール領域が選択された場合、更に、つまみ情報、および、矢印情報を含む表示情報を含む出力制御情報を端末装置１００に送信することにより、当該表示情報を当該端末装置１００の表示部１１４に表示させてもよい。また、出力制御部２０２ｐは、端末装置１００の入力部１１８を介して端末装置１００の表示部１１４に表示された移動スケジュール領域が選択された場合、更に、矢印情報を含む表示情報を含む出力制御情報を端末装置１００に送信することにより、当該表示情報を当該端末装置１００の表示部１１４に表示させてもよい。また、出力制御部２０２ｐは、端末装置１００の入力部１１８を介して経路案内開始要求が入力された場合等、表示情報を含む出力制御情報を端末装置１００に送信することにより、当該表示情報を当該端末装置１００の表示部１１４に表示させることで、経路案内を実行してもよい。また、出力制御部２０２ｐは、更に、表示情報に対応した音声情報（例えば、案内情報データベース２０６ｅに記憶された音声案内情報等）を含む出力制御情報を端末装置１００に送信することにより、当該音声情報を端末装置１００の音声出力部１１６を介して出力させることで、音声案内を実行してもよい。
【０１９０】
また、編集要求取得部２０２ｑは、端末装置１００の入力部１１８を介して端末装置１００の表示部１１４に表示されたイベントスケジュール領域に対する表示サイズ変更指示が入力された場合、当該表示サイズ変更指示に基づき、イベントスケジュールの編集要求を取得する編集要求取得手段である。ここで、表示サイズ変更指示は、端末装置１００の表示部１１４に表示されたつまみ情報の表示位置変更指示であってもよい。
【０１９１】
また、変更要求取得部２０２ｒは、端末装置１００の入力部１１８を介して端末装置１００の表示部１１４に表示された移動スケジュール領域に対する表示位置変更指示が入力された場合、当該表示位置変更指示に基づき、移動スケジュールの変更要求を取得する変更要求取得手段である。ここで、表示位置変更指示は、交通情報データベース２０６ｃに記憶された時刻表情報に含まれる交通機関の出発時刻または到着時刻に対応する表示位置への変更指示であってもよい。また、変更要求取得部２０２ｒは、端末装置１００の入力部１１８を介して表示位置変更指示が入力された場合、当該表示位置変更指示に基づく移動スケジュール領域の移動方向、および、変更後表示位置に応じて、移動スケジュールの出発時刻、または、到着時刻を指定する変更要求を取得してもよい。また、変更要求取得部２０２ｒは、端末装置１００の入力部１１８を介して端末装置１００の表示部１１４にポップアップ表示されたダイアログボックスに対して移動スケジュールの再探索指示が入力された場合、移動スケジュールの変更要求を取得してもよい。
【０１９２】
以上で、第２の実施形態におけるスケジュール管理サーバ２００の構成の一例の説明を終える。
【０１９３】
［スケジュール管理サーバ２００（サーバ主導型）の処理］
次に、このように構成された第２の実施形態におけるスケジュール管理サーバ２００の処理の一例について、以下に図１６および図１７を参照して詳細に説明する。図１６および図１７は、第２の実施形態におけるスケジュール管理サーバ２００の処理の一例を示すフローチャートである。
【０１９４】
図１６に示すように、まず、端末装置１００の制御部１０２は、利用者により入力部１１８を介してイベントの時間と当該イベントの場所に関する位置情報とを含むイベントスケジュールが入力された場合、当該イベントスケジュールをスケジュール管理サーバ２００に送信する（ステップＳＢ−１）。
【０１９５】
ここで、図１６に示す第２の実施形態におけるステップＳＢ−２乃至ステップＳＢ−４の処理は、図２に示す第１の実施形態におけるステップＳＡ−２乃至ステップＳＡ−４の処理と同様であるため説明を省略する。
【０１９６】
そして、スケジュール管理サーバ２００の表示情報生成部２０２ｎは、タイムテーブル情報上に、スケジュール領域生成部２０２ｆにより生成されたイベントスケジュール領域、および、スケジュール領域生成部２０２ｆにより生成されたスケジュール間領域を重畳した表示情報を生成する（ステップＳＢ−５）。
【０１９７】
そして、スケジュール管理サーバ２００の出力制御部２０２ｐは、ステップＳＢ−５にて表示情報生成部２０２ｎにより生成された表示情報を含む出力制御情報を端末装置１００に送信することにより、当該表示情報を当該端末装置１００の表示部１１４に表示させる（ステップＳＢ−６）。
【０１９８】
そして、スケジュール管理サーバ２００の制御部２０２は、イベントスケジュール領域と、移動スケジュール領域と、が端末装置１００の表示部１１４において重なって表示されているか否か判定する（ステップＳＢ−７）。
【０１９９】
そして、スケジュール管理サーバ２００の制御部２０２は、ステップＳＢ−７にてイベントスケジュール領域と、移動スケジュール領域と、が重なって表示されていないと判定した場合（ステップＳＢ−７：Ｎｏ）、利用者により端末装置１００の入力部１１８を介して、端末装置１００の表示部１１４に表示されたイベントスケジュール領域が選択されたか否か判定する（ステップＳＢ−１１）。ここで、制御部２０２は、端末装置１００から端末装置１００の入力部１１８に入力された入力信号等を受信することにより選択されたか否か判定してもよい。
【０２００】
そして、スケジュール管理サーバ２００の表示情報生成部２０２ｎは、ステップＳＢ−１１にて制御部２０２によりイベントスケジュール領域が選択されたと判定された場合（ステップＳＢ−１１：Ｙｅｓ）、タイムテーブル情報上に、イベントスケジュール領域、および、スケジュール間領域を重畳し、当該イベントスケジュール領域上に、つまみ情報を重畳した表示情報を生成する（ステップＳＢ−１３）。ここで、表示情報生成部２０２ｎは、更に、スケジュール間領域上に、移動スケジュール領域を重畳した表示情報を生成してもよい。
【０２０１】
そして、スケジュール管理サーバ２００の出力制御部２０２ｐは、ステップＳＢ−１３にて表示情報生成部２０２ｎにより生成された表示情報を含む出力制御情報を端末装置１００に送信することにより、当該表示情報を当該端末装置１００の表示部１１４に表示させる（ステップＳＢ−１４）。
【０２０２】
そして、スケジュール管理サーバ２００の制御部２０２は、利用者により端末装置１００の入力部１１８を介して、端末装置１００の表示部１１４に表示されたつまみ情報が選択されているか否か判定する（ステップＳＢ−１５）。ここで、制御部２０２は、端末装置１００から端末装置１００の入力部１１８に入力された入力信号等を受信することにより選択されているか否か判定してもよい。
【０２０３】
そして、スケジュール管理サーバ２００の制御部２０２は、ステップＳＢ−１５にてつまみ情報が選択されていないと判定した場合（ステップＳＢ−１５：Ｎｏ）、出力制御部２０２ｐにタイムテーブル情報上に、イベントスケジュール領域、および、スケジュール間領域を重畳した表示情報を含む出力制御情報を端末装置１００に送信させることにより、当該表示情報を当該端末装置１００の表示部１１４に表示させることで、つまみ情報の表示を消し、処理をステップＳＢ−１１に移行させる。
【０２０４】
一方、スケジュール管理サーバ２００の表示情報生成部２０２ｎは、ステップＳＢ−１５にて制御部２０２によりつまみ情報が選択されていると判定された場合（ステップＳＢ−１５：Ｙｅｓ）、タイムテーブル情報上に、イベントスケジュール領域、スケジュール間領域、および、スケール情報を重畳し、更に、当該イベントスケジュール領域上に、つまみ情報を重畳し、当該つまみ情報上に、矢印情報を重畳した表示情報を生成する（ステップＳＢ−１６）。ここで、表示情報生成部２０２ｎは、更に、スケジュール間領域上に、移動スケジュール領域を重畳した表示情報を生成してもよい。
【０２０５】
そして、スケジュール管理サーバ２００の出力制御部２０２ｐは、ステップＳＢ−１６にて表示情報生成部２０２ｎにより生成された表示情報を含む出力制御情報を端末装置１００に送信することにより、当該表示情報を当該端末装置１００の表示部１１４に表示させる（ステップＳＢ−１７）。
【０２０６】
そして、スケジュール管理サーバ２００の制御部２０２は、利用者により端末装置１００の入力部１１８を介して、選択されたつまみ情報の移動に基づくイベントスケジュール領域に対する表示サイズ変更指示が入力されたか否か判定する（ステップＳＢ−１８）。ここで、制御部２０２は、端末装置１００から端末装置１００の入力部１１８に入力された入力信号等を受信することにより入力されたか否か判定してもよい。
【０２０７】
そして、スケジュール管理サーバ２００の制御部２０２は、ステップＳＢ−１８にてイベントスケジュール領域に対する表示サイズ変更指示が入力されていないと判定した場合（ステップＳＢ−１８：Ｎｏ）、出力制御部２０２ｐにタイムテーブル情報上に、イベントスケジュール領域、および、スケジュール間領域を重畳した表示情報を含む出力制御情報を端末装置１００に送信させることにより、当該表示情報を当該端末装置１００の表示部１１４に表示させることで、つまみ情報、矢印情報、および、スケール情報の表示を消し、処理をステップＳＢ−１１に移行させる。
【０２０８】
一方、スケジュール管理サーバ２００の制御部２０２は、ステップＳＢ−１８にてイベントスケジュール領域に対する表示サイズ変更指示が入力されたと判定した場合（ステップＳＢ−１８：Ｙｅｓ）、端末装置１００から当該表示サイズ変更指示を送信させ（ステップＳＢ−１９）、当該表示サイズ変更指示を受信する（ステップＳＢ−２０）。
【０２０９】
そして、スケジュール管理サーバ２００の表示情報生成部２０２ｎは、タイムテーブル情報上に、制御部２０２により受信された表示サイズ変更指示に基づき表示サイズを変更したイベントスケジュール領域、および、スケジュール間領域を重畳した表示情報を生成する（ステップＳＢ−２１）。ここで、表示情報生成部２０２ｎは、更に、スケジュール間領域上に、移動スケジュール領域を重畳した表示情報を生成してもよい。
【０２１０】
そして、スケジュール管理サーバ２００の出力制御部２０２ｐは、ステップＳＢ−２１にて表示情報生成部２０２ｎにより生成された表示情報を含む出力制御情報を端末装置１００に送信することにより、当該表示情報を当該端末装置１００の表示部１１４に表示させる（ステップＳＢ−２２）。
【０２１１】
そして、スケジュール管理サーバ２００の編集要求取得部２０２ｑは、制御部２０２により受信された表示サイズ変更指示に基づき、イベントスケジュールに含まれるイベントの時間を変更する編集要求を取得する（ステップＳＢ−２３）。
【０２１２】
そして、スケジュール管理サーバ２００の編集部２０２ｉは、編集要求取得部２０２ｑにより取得されたイベントスケジュールの編集要求に基づき、スケジュールデータベース２０６ａに記憶されたイベントスケジュールに含まれるイベントの時間を変更（編集）する（ステップＳＢ−２４）。
【０２１３】
一方、スケジュール管理サーバ２００の制御部２０２は、ステップＳＢ−１１にてイベントスケジュール領域が選択されていないと判定した場合（ステップＳＢ−１１：Ｎｏ）、利用者により端末装置１００の入力部１１８を介して、端末装置１００の表示部１１４に表示されたスケジュール間領域が選択されたか否か判定する（ステップＳＢ−１２）。ここで、制御部２０２は、端末装置１００から端末装置１００の入力部１１８に入力された入力信号等を受信することにより選択されたか否か判定してもよい。
【０２１４】
そして、スケジュール管理サーバ２００の制御部２０２は、ステップＳＢ−１２にてスケジュール間領域が選択されていないと判定した場合（ステップＳＢ−１２：Ｎｏ）、処理を終了する。
【０２１５】
一方、スケジュール管理サーバ２００の表示情報生成部２０２ｎは、ステップＳＢ−１２にて制御部１０２によりスケジュール間領域が選択されたと判定された場合（ステップＳＢ−１２：Ｙｅｓ）、タイムテーブル情報上に、イベントスケジュール領域、および、スケジュール間領域を重畳し、当該イベントスケジュール領域および当該スケジュール間領域上にコンボボックスを重畳した表示情報を生成する（ステップＳＢ−２５）。ここで、表示情報生成部２０２ｎは、更に、スケジュール間領域上に、移動スケジュール領域を重畳した表示情報を生成してもよい。
【０２１６】
そして、スケジュール管理サーバ２００の出力制御部２０２ｐは、ステップＳＢ−２５にて表示情報生成部２０２ｎにより生成された表示情報を含む出力制御情報を端末装置１００に送信することにより、当該表示情報を当該端末装置１００の表示部１１４に表示させることで、表示情報に含まれるコンボボックスをポップアップ表示させる（ステップＳＢ−２６）。
【０２１７】
そして、スケジュール管理サーバ２００の制御部２０２は、利用者により端末装置１００の入力部１１８を介して、端末装置１００の表示部１１４に表示されたコンボボックスに対して、出発時刻または到着時刻を含む経路探索条件を含む移動スケジュール生成要求が入力されたか否か判定する（ステップＳＢ−２７）。ここで、制御部２０２は、端末装置１００から端末装置１００の入力部１１８に入力された入力信号等を受信することにより入力されたか否か判定してもよい。
【０２１８】
そして、スケジュール管理サーバ２００の制御部２０２は、ステップＳＢ−２７にて移動スケジュール生成要求が入力されていないと判定した場合（ステップＳＢ−２７：Ｎｏ）、出力制御部２０２ｐにタイムテーブル情報上に、イベントスケジュール領域、および、スケジュール間領域を重畳した表示情報を含む出力制御情報を端末装置１００に送信させることにより、当該表示情報を当該端末装置１００の表示部１１４に表示させることで、コンボボックスのポップアップ表示を消し、処理を終了する。
【０２１９】
一方、スケジュール管理サーバ２００の移動スケジュール生成要求受信部２０２ｃは、ステップＳＢ−２７にて移動スケジュール生成要求が入力されたと判定した場合（ステップＳＢ−２７：Ｙｅｓ）、端末装置１００から当該移動スケジュール生成要求を送信させ（ステップＳＢ−２８）、当該移動スケジュール生成要求を受信する（ステップＳＢ−２９）。
【０２２０】
ここで、図１７に示す第２の実施形態におけるステップＳＢ−３０の処理は、図３に示す第１の実施形態におけるステップＳＡ−２６の処理と同様であるため説明を省略する。
【０２２１】
そして、スケジュール管理サーバ２００の表示情報生成部２０２ｎは、タイムテーブル情報上に、イベントスケジュール領域、および、スケジュール間領域を重畳し、当該イベントスケジュール領域および当該スケジュール間領域上に、ステップＳＢ−３０にて移動スケジュール生成部２０２ｄにより生成された移動スケジュールに含まれる経路情報を含むコンボボックスを重畳した表示情報を生成する（ステップＳＢ−３１）。
【０２２２】
そして、スケジュール管理サーバ２００の出力制御部２０２ｐは、ステップＳＢ−３１にて表示情報生成部２０２ｎにより生成された表示情報を含む出力制御情報を端末装置１００に送信することにより、当該表示情報を当該端末装置１００の表示部１１４に表示させることで、コンボボックスに経路情報を表示させる（ステップＳＢ−３２）。
【０２２３】
そして、スケジュール管理サーバ２００の制御部２０２は、利用者により端末装置１００の入力部１１８を介して、端末装置１００の表示部１１４に表示された経路情報が登録されたか否か判定する（ステップＳＢ−３３）。ここで、制御部２０２は、端末装置１００から端末装置１００の入力部１１８に入力された入力信号等を受信することにより登録されたか否か判定してもよい。
【０２２４】
そして、スケジュール管理サーバ２００の制御部２０２は、ステップＳＢ−３３にて経路情報が登録されていないと判定した場合（ステップＳＢ−３３：Ｎｏ）、処理をステップＳＢ−２７に移行させる。
【０２２５】
一方、スケジュール管理サーバ２００の経路案内情報生成部２０２ｅは、ステップＳＢ−３３にて制御部２０２により経路情報が登録されたと判定された場合（ステップＳＢ−３３：Ｙｅｓ）、当該経路情報、および、地図情報データベース２０６ｄに記憶された、案内経路を含む地図に関する地図情報を含む経路案内情報を生成する（ステップＳＢ−３４）。ここで、経路案内情報は、更に、案内情報データベース２０６ｅに記憶された、案内経路上において出力される案内情報（表示案内情報および音声案内情報等）を含んでいてもよい。
【０２２６】
そして、スケジュール管理サーバ２００のスケジュール領域生成部２０２ｆは、ステップＳＢ−３４にて経路案内情報生成部２０２ｅにより生成された経路案内情報に含まれる経路情報を含む移動スケジュールを示す移動スケジュール領域を生成する（ステップＳＢ−３５）。
【０２２７】
そして、スケジュール管理サーバ２００の表示情報生成部２０２ｎは、タイムテーブル情報上に、イベントスケジュール領域、および、スケジュール間領域を重畳し、当該スケジュール間領域上に、移動スケジュール領域を重畳した表示情報を生成する（ステップＳＢ−３６）。ここで、移動スケジュール領域は、所要時間が平均値となる移動スケジュールの場合の表示サイズであってよい。また、移動スケジュール領域は、所要時間が最大値となる移動スケジュールの場合の表示サイズであってもよい。また、移動スケジュール領域は、所要時間が最小値となる移動スケジュールの場合の表示サイズであってもよい。また、表示情報生成部２０２ｎは、イベントスケジュール領域、スケジュール間領域、および、複数に分割された移動スケジュール領域を含む表示情報を生成してもよい。また、表示情報生成部２０２ｎは、イベントスケジュール領域、スケジュール間領域、および、所要時間が最小となる移動スケジュールを示す移動スケジュール領域を含む表示情報を生成してもよい。また、表示情報生成部２０２ｎは、更に、経路案内情報生成部２０２ｅにより生成された経路案内情報を含む表示情報を生成してもよい。また、表示情報生成部２０２ｎは、更に、現在位置情報取得部２０２ｍにより取得された端末装置１００の利用者の現在位置情報を含む表示情報を生成してもよい。
【０２２８】
そして、スケジュール管理サーバ２００の出力制御部２０２ｐは、ステップＳＢ−３６にて表示情報生成部２０２ｎにより生成された表示情報を含む出力制御情報を端末装置１００に送信することにより、当該表示情報を当該端末装置１００の表示部１１４に表示させる（ステップＳＢ−３７）。ここで、出力制御部２０２ｐは、更に、利用者により端末装置１００の入力部１１８を介して経路案内開始要求が入力された場合等、経路案内情報生成部２０２ｅにより生成された経路案内情報、および、現在位置情報取得部２０２ｍにより取得された端末装置１００の利用者の現在位置情報を含む表示情報を含む出力制御情報を端末装置１００に送信することにより、当該表示情報を当該端末装置１００の表示部１１４に表示させることで、経路案内を実行してもよい。また、出力制御部２０２ｐは、更に、表示情報に対応した音声情報（例えば、経路案内情報生成部２０２ｅにより生成された経路案内情報に含まれる音声案内情報等）を含む出力制御情報を端末装置１００に送信することにより、当該音声情報を端末装置１００の音声出力部１１６を介して出力させることで、音声案内を実行してもよい。
【０２２９】
そして、スケジュール管理サーバ２００の制御部２０２は、利用者により端末装置１００の入力部１１８を介して、端末装置１００の表示部１１４に表示された移動スケジュール領域が選択されたか否か判定する（ステップＳＢ−３８）。ここで、制御部２０２は、端末装置１００から端末装置１００の入力部１１８に入力された入力信号等を受信することにより選択されたか否か判定してもよい。
【０２３０】
そして、スケジュール管理サーバ２００の制御部２０２は、ステップＳＢ−３８にて移動スケジュール領域が選択されていないと判定した場合（ステップＳＢ−３８：Ｎｏ）、処理をステップＳＢ−７に移行させる。
【０２３１】
一方、スケジュール管理サーバ２００の表示情報生成部２０２ｎは、ステップＳＢ−３８にて制御部２０２により移動スケジュール領域が選択されたと判定された場合（ステップＳＢ−３８：Ｙｅｓ）、タイムテーブル情報上に、イベントスケジュール領域、および、スケジュール間領域を重畳し、当該スケジュール間領域上に、移動スケジュール領域を重畳し、当該移動スケジュール領域上に、当該移動スケジュール領域の移動方向を示す矢印情報を重畳した表示情報を生成する（ステップＳＢ−３９）。
【０２３２】
そして、スケジュール管理サーバ２００の出力制御部２０２ｐは、ステップＳＢ−３９にて表示情報生成部２０２ｎにより生成された表示情報を含む出力制御情報を端末装置１００に送信することにより、当該表示情報を当該端末装置１００の表示部１１４に表示させる（ステップＳＢ−４０）。
【０２３３】
そして、スケジュール管理サーバ２００の制御部２０２は、利用者により端末装置１００の入力部１１８を介して、端末装置１００の表示部１１４に表示された移動スケジュール領域に対する表示位置変更指示が入力されたか否か判定する（ステップＳＢ−４１）。ここで、制御部２０２は、端末装置１００から端末装置１００の入力部１１８に入力された入力信号等を受信することにより入力されたか否か判定してもよい。
【０２３４】
そして、スケジュール管理サーバ２００の制御部２０２は、ステップＳＢ−４１にて移動スケジュール領域に対する表示位置変更指示が入力されていないと判定した場合（ステップＳＢ−４１：Ｎｏ）、出力制御部２０２ｐにタイムテーブル情報上に、イベントスケジュール領域、および、スケジュール間領域を重畳し、当該スケジュール間領域上に、移動スケジュール領域を重畳した表示情報を含む出力制御情報を端末装置１００に送信させることにより、当該表示情報を当該端末装置１００の表示部１１４に表示させることで、矢印情報の表示を消し、処理をステップＳＢ−７に移行させる。
【０２３５】
一方、スケジュール管理サーバ２００の制御部２０２は、ステップＳＢ−４１にて移動スケジュール領域に対する表示位置変更指示が入力されたと判定した場合（ステップＳＢ−４１：Ｙｅｓ）、出力制御部２０２ｐにタイムテーブル情報上に、イベントスケジュール領域、および、スケジュール間領域を重畳し、当該スケジュール間領域上に、移動スケジュール領域を重畳した表示情報を含む出力制御情報を端末装置１００に送信させることにより、当該表示情報を当該端末装置１００の表示部１１４に表示させることで、矢印情報の表示を消し、端末装置１００から当該表示位置変更指示を送信させ（ステップＳＢ−４２）、当該表示位置変更指示を受信する（ステップＳＢ−４３）。
【０２３６】
そして、スケジュール管理サーバ２００の変更要求取得部２０２ｒは、制御部２０２により受信された表示位置変更指示に基づき、移動スケジュールの変更要求を取得する（ステップＳＢ−４４）。ここで、変更要求取得部２０２ｒは、制御部２０２により移動スケジュール領域に対する表示位置変更指示が入力されたと判定された場合、当該表示位置変更指示に基づく移動スケジュール領域の移動方向、および、変更後表示位置に応じて、移動スケジュールの出発時刻、または、到着時刻を指定する変更要求を取得してもよい。また、変更要求取得部２０２ｒは、端末装置１００の入力部１１８を介して端末装置１００の表示部１１４にポップアップ表示されたダイアログボックスに対して移動スケジュールの再探索指示が入力された場合、端末装置１００から当該再探索指示を送信させ、当該再探索指示を受信し、当該再探索指示に基づく移動スケジュールの変更要求を取得してもよい。
【０２３７】
そして、スケジュール管理サーバ２００の移動スケジュール再生成部２０２ｋは、変更要求取得部２０２ｒにより取得された移動スケジュールの変更要求に基づき、端末装置１００の表示部１１４に表示された移動スケジュール領域に基づく移動スケジュールとは異なる、２つのイベントスケジュールに含まれる位置情報に基づく２つのイベントの場所を出発地および目的地として、当該出発地から当該目的地までの案内経路を、交通情報データベース２０６ｃに記憶された交通情報に基づいて、ネットワーク情報データベース２０６ｂに記憶されたネットワーク情報を用いて探索し、当該案内経路に関する経路情報を含む移動スケジュールを生成する（ステップＳＢ−４５）。
【０２３８】
そして、スケジュール管理サーバ２００の経路案内情報生成部２０２ｅは、移動スケジュール再生成部２０２ｋにより生成された移動スケジュールに含まれる経路情報、および、地図情報データベース２０６ｄに記憶された、案内経路を含む地図に関する地図情報を含む経路案内情報を生成する（ステップＳＢ−４６）。
【０２３９】
そして、スケジュール管理サーバ２００のスケジュール領域生成部２０２ｆは、移動スケジュール再生成部２０２ｋにより生成された移動スケジュールを示す移動スケジュール領域を生成し（ステップＳＡ−４７）、処理をステップＳＢ−３６に移行させる。
【０２４０】
一方、スケジュール管理サーバ２００の表示情報生成部２０２ｎは、ステップＳＢ−７にて制御部２０２によりイベントスケジュール領域と、移動スケジュール領域と、が重なって表示されていると判定された場合（ステップＳＢ−７：Ｙｅｓ）、タイムテーブル情報上に、イベントスケジュール領域、および、スケジュール間領域を重畳し、当該スケジュール間領域上に、移動スケジュール領域を重畳し、当該イベントスケジュール領域、当該スケジュール間領域、および、当該移動スケジュール領域上に、移動スケジュールを再探索するか否か問うダイアログボックスを重畳した表示情報を生成する（ステップＳＢ−８）。
【０２４１】
そして、スケジュール管理サーバ２００の出力制御部２０２ｐは、ステップＳＢ−８にて表示情報生成部２０２ｎにより生成された表示情報を含む出力制御情報を端末装置１００に送信することにより、当該表示情報を当該端末装置１００の表示部１１４に表示させることで、ダイアログボックスをポップアップ表示させる（ステップＳＢ−９）。
【０２４２】
そして、スケジュール管理サーバ２００の制御部２０２は、利用者により端末装置１００の入力部１１８を介して、端末装置１００の表示部１１４にポップアップ表示されたダイアログボックスに対して移動スケジュールの再探索指示が入力されたか否か判定する（ステップＳＢ−１０）。ここで、制御部２０２は、端末装置１００から端末装置１００の入力部１１８に入力された入力信号等を受信することにより入力されたか否か判定してもよい。
【０２４３】
そして、スケジュール管理サーバ２００の制御部２０２は、ステップＳＢ−１０にて移動スケジュールの再探索指示が入力されたと判定した場合（ステップＳＢ−１０：Ｙｅｓ）、出力制御部２０２ｐにタイムテーブル情報上に、イベントスケジュール領域、および、スケジュール間領域を重畳し、当該スケジュール間領域上に、移動スケジュール領域を重畳した表示情報を含む出力制御情報を端末装置１００に送信させることにより、当該表示情報を当該端末装置１００の表示部１１４に表示させることで、ダイアログボックスのポップアップ表示を消し、処理をステップＳＢ−４４に移行させる。
【０２４４】
一方、スケジュール管理サーバ２００の制御部２０２は、ステップＳＢ−１０にて移動スケジュールの再探索指示が入力されていないと判定した場合（ステップＳＢ−１０：Ｎｏ）、出力制御部２０２ｐにタイムテーブル情報上に、イベントスケジュール領域、および、スケジュール間領域を重畳し、当該スケジュール間領域上に、移動スケジュール領域を重畳した表示情報を含む出力制御情報を端末装置１００に送信させることにより、当該表示情報を当該端末装置１００の表示部１１４に表示させることで、ダイアログボックスのポップアップ表示を消し、処理をステップＳＢ−１１に移行させる。
【０２４５】
以上で、第２の実施形態におけるスケジュール管理サーバ２００の処理の一例の説明を終える。
【０２４６】
［第３の実施形態］
続いて、本発明の第３の実施形態（スケジュール管理装置４００（スタンドアローン型））について、図１８乃至図２０を参照して以下に説明する。ここで、図１８は、第３の実施形態におけるスケジュール管理装置４００の構成の一例を示すブロック図であり、該構成のうち本発明に関係する部分のみを概念的に示している。
【０２４７】
なお、第３の実施形態においては、全ての機能をスケジュール管理装置４００に集約し、２つのイベントスケジュール間の移動スケジュールを、ネットワーク情報を用いて生成し、イベントスケジュールを示すイベントスケジュール領域、および、移動スケジュールを示す移動スケジュール領域を表示部４１４に表示させ、入力部４１８を介して表示部４１４に表示された移動スケジュール領域に対する表示位置変更指示が入力された場合、当該表示位置変更指示に基づき、移動スケジュールの変更要求を取得し、変更要求に基づき、表示部４１４に表示された移動スケジュール領域に基づく移動スケジュールとは異なる、２つのイベントスケジュール間の移動スケジュールを、ネットワーク情報を用いて生成する等の機能を有する。このように、第３の実施形態は、スケジュール管理装置４００がスタンドアローン型に構成され単独で処理を行う点がその他の実施形態と異なる。
【０２４８】
［スケジュール管理装置４００（スタンドアローン型）の構成］
まず、第３の実施形態におけるスケジュール管理装置４００（スタンドアローン型）の構成の一例について、図１８を参照して以下に説明する。
【０２４９】
図１８に示すように、本発明の第３の実施形態のスケジュール管理装置４００は、位置取得部４１２と出力部（表示部４１４および音声出力部４１６）と入力部４１８と制御部４０２と記憶部４０６とを少なくとも備える。これらスケジュール管理装置４００の各部は任意の通信路を介して通信可能に接続されてもよい。スケジュール管理装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。また、スケジュール管理装置４００は、通信制御インターフェース部（図示せず）を介してネットワーク３００を経由し、外部装置と相互に通信可能に接続されていてもよい。
【０２５０】
図１８において、入出力制御インターフェース部４０８、位置取得部４１２、表示部４１４、音声出力部４１６、および、入力部４１８の各機能は、第１の実施形態と同様であるため説明を省略する。また、記憶部４０６の各部（スケジュールデータベース４０６ａ、ネットワーク情報データベース４０６ｂ、交通情報データベース４０６ｃ、地図情報データベース４０６ｄ、および、案内情報データベース４０６ｅ等）についても、スケジュール管理サーバ２００ではなくスケジュール管理装置４００に備えられている点を除き、各機能が第１の実施形態と同様であるため説明を省略する。
【０２５１】
また、制御部４０２の各部については、本実施形態のスケジュール管理装置４００がスタンドアローン型であり、制御部４０２が各送信部を備えていない点を除き、各機能は第１の実施形態と基本的に同様である。
【０２５２】
また、図１８において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、スケジュール取得部４０２ｂ、スケジュール登録部４０２ｃ、移動スケジュール生成要求取得部４０２ｄ、移動スケジュール生成部４０２ｅ、経路案内情報生成部４０２ｆ、スケジュール領域生成部４０２ｇ、スケジュール領域表示部４０２ｈ、編集要求取得部４０２ｉ、編集部４０２ｊ、変更要求取得部４０２ｋ、および、移動スケジュール再生成部４０２ｍを備える。
【０２５３】
このうち、現在位置情報取得部４０２ａは、スケジュール管理装置４００の利用者の現在位置情報を取得する現在位置情報取得手段である。ここで、現在位置情報取得部４０２ａは、スケジュール管理装置４００の利用者の現在位置情報を所定周期（例えば、１秒ごと、または、３分ごと等）で取得してもよい。また、現在位置情報取得部４０２ａは、位置取得部４１２にて位置発信装置５００から受信した位置情報信号から算出した位置情報をスケジュール管理装置４００の利用者の現在位置情報として取得してもよい。また、現在位置情報は、取得時刻（例えば、位置情報信号に含まれる発信時刻等）を含んでいてもよい。
【０２５４】
また、現在位置情報取得部４０２ａは、利用者により入力部４１８を介して入力された現在位置についての位置座標等の位置情報をスケジュール管理装置４００の利用者の現在位置情報として取得してもよい。ここで、利用者により入力部４１８を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部４０２ａは、入力部４１８を介して利用者に表示部４１４に表示された地図情報に基づく表示画面上で指定（例えば、タッチパネル式の表示部４１４での指定操作等）させた座標をスケジュール管理装置４００の利用者の現在位置情報として取得してもよい。
【０２５５】
また、スケジュール取得部４０２ｂは、イベントスケジュールを取得するスケジュール取得手段である。ここで、イベントスケジュールは、入力部４１８を介して入力されたスケジュールであってもよい。
【０２５６】
また、スケジュール登録部４０２ｃは、イベントスケジュールをスケジュールデータベース４０６ａに登録（格納）するスケジュール登録手段である。
【０２５７】
また、移動スケジュール生成要求取得部４０２ｄは、移動スケジュール生成要求を取得する移動スケジュール生成要求取得手段である。ここで、移動スケジュール生成要求は、経由地、移動手段（例えば、交通機関利用、徒歩利用、自転車利用、または、自動車利用等）、出発時刻、経由時刻、および／または、到着時刻等を含む経路探索条件を含んでいてもよい。ここで、移動スケジュール生成要求は、入力部４１８を介して入力されたものであってもよい。
【０２５８】
また、移動スケジュール生成部４０２ｅは、２つのイベントスケジュール間の移動スケジュールを、ネットワーク情報データベース４０６ｂに記憶されたネットワーク情報を用いて生成する移動スケジュール生成手段である。ここで、移動スケジュール生成部４０２ｅは、更に、移動スケジュールを、交通情報データベース４０６ｃに記憶された交通情報に基づいて生成してもよい。例えば、移動スケジュール生成部４０２ｅは、２つのイベントスケジュールに含まれる位置情報に基づく２つのイベントの場所を出発地および目的地として、当該出発地から当該目的地までの案内経路を、交通情報データベース４０６ｃに記憶された交通情報に基づいて、ネットワーク情報データベース４０６ｂに記憶されたネットワーク情報を用いて探索し、当該案内経路に関する経路情報を含む移動スケジュールを生成してもよい。ここで、移動スケジュール生成部４０２ｅは、移動スケジュール生成要求に含まれる経路探索条件を満たす案内経路を探索してもよい。
【０２５９】
また、経路案内情報生成部４０２ｆは、経路案内情報を生成する経路案内情報生成手段である。ここで、経路案内情報生成部４０２ｆは、移動スケジュール生成部４０２ｅにより生成された移動スケジュールに含まれる経路情報を含む経路案内情報を生成してもよい。また、経路案内情報は、更に、地図情報データベース４０６ｄに記憶された、案内経路を含む地図に関する地図情報を含んでいてもよい。また、経路案内情報は、更に、案内情報データベース４０６ｅに記憶された、案内経路上において出力される案内情報（表示案内情報および音声案内情報等）を含んでいてもよい。
【０２６０】
また、スケジュール領域生成部４０２ｇは、イベントスケジュールを示すイベントスケジュール領域、移動スケジュールを示す移動スケジュール領域、および／または、当該イベントスケジュール間を示すスケジュール間領域を生成するスケジュール領域生成手段である。
【０２６１】
また、スケジュール領域表示部４０２ｈは、イベントスケジュール領域、および／または、移動スケジュール領域を表示部４１４に表示させるスケジュール領域表示手段である。ここで、スケジュール領域表示部４０２ｈは、更に、タイムテーブルに関するタイムテーブル情報を表示部４１４に表示させてもよい。また、スケジュール領域表示部４０２ｈは、イベントスケジュール領域を表示部４１４に表示させ、移動スケジュール領域を、所要時間が平均値となる移動スケジュールの場合の表示サイズで表示部４１４に表示させてもよい。また、スケジュール領域表示部４０２ｈは、イベントスケジュール領域を表示部４１４に表示させ、移動スケジュール領域を、所要時間が最大値となる移動スケジュールの場合の表示サイズで表示部４１４に表示させてもよい。また、スケジュール領域表示部４０２ｈは、イベントスケジュール領域を表示部４１４に表示させ、移動スケジュール領域を、所要時間が最小値となる移動スケジュールの場合の表示サイズで表示部４１４に表示させてもよい。また、スケジュール領域表示部４０２ｈは、イベントスケジュール領域、および、複数に分割された移動スケジュール領域を表示部４１４に表示させてもよい。また、スケジュール領域表示部４０２ｈは、イベントスケジュール領域、および、所要時間が最小となる移動スケジュールを示す移動スケジュール領域を表示部４１４に表示させてもよい。また、スケジュール領域表示部４０２ｈは、更に、スケジュール間領域、スケール情報、および／または、案内経路に関する経路情報を表示部４１４に表示させてもよい。
【０２６２】
また、スケジュール領域表示部４０２ｈは、入力部４１８を介して表示部４１４に表示されたイベントスケジュール領域が選択された場合、更に、イベントスケジュール領域の表示サイズの変更を入力するためのつまみ情報、および、変更方向を示す矢印情報を表示部４１４に表示させてもよい。また、スケジュール領域表示部４０２ｈは、入力部４１８を介して表示部４１４に表示された移動スケジュール領域が選択された場合、更に、移動スケジュール領域の移動方向を示す矢印情報を表示部４１４に表示させてもよい。また、スケジュール領域表示部４０２ｈは、更に、移動スケジュールを再探索するか否か問うダイアログボックスを表示部４１４にポップアップ表示させてもよい。また、スケジュール領域表示部４０２ｈは、更に、経路探索条件を含む移動スケジュール生成要求の入力、ならびに、移動スケジュール登録のためのコンボボックスを表示部４１４にポップアップ表示させてもよい。また、スケジュール領域表示部４０２ｈは、更に、スケジュール管理装置４００の利用者の現在位置情報を表示部４１４に表示させてもよい。また、スケジュール領域表示部４０２ｈは、経路案内情報を表示部４１４に表示させることにより、経路案内を実行してもよい。ここで、スケジュール領域表示部４０２ｈは、入力部４１８を介して経路案内開始要求が入力された場合、経路案内を実行してもよい。また、スケジュール領域表示部４０２ｈは、表示に対応した音声情報（経路案内情報に含まれる音声案内情報等）を音声出力部４１６を介して出力させてもよい。
【０２６３】
また、編集要求取得部４０２ｉは、入力部４１８を介して表示部４１４に表示されたイベントスケジュール領域に対する表示サイズ変更指示が入力された場合、当該表示サイズ変更指示に基づき、イベントスケジュールの編集要求を取得する編集要求取得手段である。ここで、表示サイズ変更指示は、表示部４１４に表示されたつまみ情報の表示位置変更指示であってもよい。
【０２６４】
また、編集部４０２ｊは、イベントスケジュールの編集要求に基づき、スケジュールデータベース４０６ａに記憶されたイベントスケジュールを編集する編集手段である。例えば、編集部４０２ｊは、イベントスケジュールの編集要求に基づき、スケジュールデータベース４０６ａに記憶されたイベントスケジュールに含まれるイベントの時間を変更してもよい。
【０２６５】
また、変更要求取得部４０２ｋは、入力部４１８を介して表示部４１４に表示された移動スケジュール領域に対する表示位置変更指示が入力された場合、当該表示位置変更指示に基づき、移動スケジュールの変更要求を取得する変更要求取得手段である。ここで、表示位置変更指示は、交通情報データベース４０６ｃに記憶された時刻表情報に含まれる交通機関の出発時刻または到着時刻に対応する表示位置への変更指示であってもよい。また、変更要求取得部４０２ｋは、入力部４１８を介して表示位置変更指示が入力された場合、当該表示位置変更指示に基づく移動スケジュール領域の移動方向、および、変更後表示位置に応じて、移動スケジュールの出発時刻、または、到着時刻を指定する変更要求を取得してもよい。また、変更要求取得部４０２ｋは、入力部４１８を介して表示部４１４にポップアップ表示されたダイアログボックスに対して移動スケジュールの再探索指示が入力された場合、移動スケジュールの変更要求を取得してもよい。
【０２６６】
また、移動スケジュール再生成部４０２ｍは、移動スケジュールの変更要求に基づき、表示部４１４に表示された移動スケジュール領域に基づく移動スケジュールとは異なる、２つのイベントスケジュール間の移動スケジュールを、ネットワーク情報データベース４０６ｂに記憶されたネットワーク情報を用いて生成する移動スケジュール再生成手段である。ここで、移動スケジュール再生成部４０２ｍは、更に、移動スケジュールを、交通情報データベース４０６ｃに記憶された交通情報に基づいて生成してもよい。例えば、移動スケジュール再生成部４０２ｍは、移動スケジュールの変更要求に基づき、表示部４１４に表示された移動スケジュール領域に基づく移動スケジュールとは異なる、２つのイベントスケジュールに含まれる位置情報に基づく２つのイベントの場所を出発地および目的地として、当該出発地から当該目的地までの案内経路を、交通情報データベース４０６ｃに記憶された交通情報に基づいて、ネットワーク情報データベース４０６ｂに記憶されたネットワーク情報を用いて探索し、当該案内経路に関する経路情報を含む移動スケジュールを生成してもよい。
【０２６７】
以上で、第３の実施形態におけるスケジュール管理装置４００の構成の一例の説明を終える。
【０２６８】
［スケジュール管理装置４００（スタンドアローン型）の処理］
次に、このように構成された第３の実施形態におけるスケジュール管理装置４００の処理の一例について、以下に図１９および図２０を参照して詳細に説明する。図１９および図２０は、第３の実施形態におけるスケジュール管理装置４００の処理の一例を示すフローチャートである。
【０２６９】
図１９に示すように、まず、スケジュール取得部４０２ｂは、利用者により入力部４１８を介してイベントの時間と当該イベントの場所に関する位置情報とを含むイベントスケジュールが入力された場合、当該イベントスケジュールを取得する（ステップＳＣ−１）。
【０２７０】
そして、スケジュール登録部４０２ｃは、スケジュール取得部４０２ｂにより取得されたイベントスケジュールをスケジュールデータベース４０６ａに登録（格納）する（ステップＳＣ−２）。
【０２７１】
そして、スケジュール領域生成部４０２ｇは、スケジュールデータベース４０６ａに記憶されたイベントスケジュールを示すイベントスケジュール領域、および、当該イベントスケジュール間を示すスケジュール間領域を生成する（ステップＳＣ−３）。
【０２７２】
そして、スケジュール領域表示部４０２ｈは、タイムテーブル情報上に、ステップＳＣ−３にてスケジュール領域生成部４０２ｇにより生成されたイベントスケジュール領域、および、ステップＳＣ−３にてスケジュール領域生成部４０２ｇにより生成されたスケジュール間領域を重畳して表示部４１４に表示させる（ステップＳＣ−４）。
【０２７３】
そして、制御部４０２は、イベントスケジュール領域と、移動スケジュール領域と、が表示部４１４に重なって表示されているか否か判定する（ステップＳＣ−５）。
【０２７４】
そして、制御部４０２は、ステップＳＣ−５にてイベントスケジュール領域と、移動スケジュール領域と、が重なって表示されていないと判定した場合（ステップＳＣ−５：Ｎｏ）、利用者により入力部４１８を介して、表示部４１４に表示されたイベントスケジュール領域が選択されたか否か判定する（ステップＳＣ−８）。
【０２７５】
そして、スケジュール領域表示部４０２ｈは、ステップＳＣ−８にて制御部４０２によりイベントスケジュール領域が選択されたと判定された場合（ステップＳＣ−８：Ｙｅｓ）、更に、当該イベントスケジュール領域上に、つまみ情報を重畳して表示部４１４に表示させる（ステップＳＣ−１０）。
【０２７６】
そして、制御部４０２は、利用者により入力部４１８を介して、表示部４１４に表示されたつまみ情報が選択されているか否か判定する（ステップＳＣ−１１）。
【０２７７】
そして、制御部４０２は、ステップＳＣ−１１にてつまみ情報が選択されていないと判定した場合（ステップＳＣ−１１：Ｎｏ）、つまみ情報の表示を消し、処理をステップＳＣ−８に移行させる。
【０２７８】
一方、スケジュール領域表示部４０２ｈは、ステップＳＣ−１１にて制御部４０２によりつまみ情報が選択されていると判定された場合（ステップＳＣ−１１：Ｙｅｓ）、更に、矢印情報、および／または、スケール情報を表示部４１４に表示させる（ステップＳＣ−１２）。
【０２７９】
そして、制御部４０２は、利用者により入力部４１８を介して、選択されたつまみ情報の移動に基づくイベントスケジュール領域に対する表示サイズ変更指示が入力されたか否か判定する（ステップＳＣ−１３）。
【０２８０】
そして、制御部４０２は、ステップＳＣ−１３にてイベントスケジュール領域に対する表示サイズ変更指示が入力されていないと判定した場合（ステップＳＣ−１３：Ｎｏ）、つまみ情報、矢印情報、および、スケール情報の表示を消し、処理をステップＳＣ−８に移行させる。
【０２８１】
一方、スケジュール領域表示部４０２ｈは、ステップＳＣ−１３にて制御部４０２によりイベントスケジュール領域に対する表示サイズ変更指示が入力されたと判定された場合（ステップＳＣ−１３：Ｙｅｓ）、つまみ情報、矢印情報、および、スケール情報の表示を消し、イベントスケジュール領域の表示サイズを当該表示サイズ変更指示に基づき変更して表示部４１４に表示させる（ステップＳＣ−１４）。
【０２８２】
そして、編集要求取得部４０２ｉは、利用者により入力部４１８を介して入力された表示サイズ変更指示に基づき、イベントスケジュールに含まれるイベントの時間を変更する編集要求を取得する（ステップＳＣ−１５）。
【０２８３】
そして、編集部４０２ｊは、編集要求取得部４０２ｉにより取得されたイベントスケジュールの編集要求に基づき、スケジュールデータベース４０６ａに記憶されたイベントスケジュールに含まれるイベントの時間を変更（編集）し（ステップＳＣ−１６）、処理をステップＳＣ−５に移行させる。
【０２８４】
一方、制御部４０２は、ステップＳＣ−８にてイベントスケジュール領域が選択されていないと判定した場合（ステップＳＣ−８：Ｎｏ）、利用者により入力部４１８を介して、表示部４１４に表示されたスケジュール間領域が選択されたか否か判定する（ステップＳＣ−９）。
【０２８５】
そして、制御部４０２は、ステップＳＣ−９にてスケジュール間領域が選択されていないと判定した場合（ステップＳＣ−９：Ｎｏ）、処理を終了する。
【０２８６】
一方、スケジュール領域表示部４０２ｈは、ステップＳＣ−９にて制御部４０２によりスケジュール間領域が選択されたと判定された場合（ステップＳＣ−９：Ｙｅｓ）、更に、経路探索条件を含む移動スケジュール生成要求の入力、および、移動スケジュール登録のためのコンボボックスを表示部４１４にポップアップ表示させる（ステップＳＣ−１７）。
【０２８７】
そして、制御部４０２は、利用者により入力部４１８を介して、表示部４１４に表示されたコンボボックスに対して、出発時刻または到着時刻を含む経路探索条件を含む移動スケジュール生成要求が入力されたか否か判定する（ステップＳＣ−１８）。
【０２８８】
そして、制御部４０２は、ステップＳＣ−１８にて移動スケジュール生成要求が入力されていないと判定した場合（ステップＳＣ−１８：Ｎｏ）、コンボボックスのポップアップ表示を消し、処理を終了する。
【０２８９】
一方、移動スケジュール生成要求取得部４０２ｄは、ステップＳＣ−１８にて移動スケジュール生成要求が入力されたと判定した場合（ステップＳＣ−１８：Ｙｅｓ）、当該移動スケジュール生成要求を取得する（ステップＳＣ−１９）。
【０２９０】
そして、移動スケジュール生成部４０２ｅは、移動スケジュール生成要求取得部４０２ｄにより取得された移動スケジュール生成要求に基づき、２つのイベントスケジュールに含まれる位置情報に基づく２つのイベントの場所を出発地および目的地として、当該移動スケジュール生成要求に含まれる経路探索条件を満たす当該出発地から当該目的地までの案内経路を、交通情報データベース４０６ｃに記憶された交通情報に基づいて、ネットワーク情報データベース４０６ｂに記憶されたネットワーク情報を用いて探索し、当該案内経路に関する経路情報を含む移動スケジュールを生成する（ステップＳＣ−２０）。
【０２９１】
そして、スケジュール領域表示部４０２ｈは、表示部４１４に表示されたコンボボックスに、移動スケジュール生成部４０２ｅにより生成された移動スケジュールに含まれる経路情報を表示させる（ステップＳＣ−２１）。
【０２９２】
そして、制御部４０２は、利用者により入力部４１８を介して、表示部４１４に表示された経路情報が登録されたか否か判定する（ステップＳＣ−２２）。
【０２９３】
そして、制御部４０２は、ステップＳＣ−２２にて経路情報が登録されていないと判定した場合（ステップＳＣ−２２：Ｎｏ）、処理をステップＳＣ−１８に移行させる。
【０２９４】
一方、経路案内情報生成部４０２ｆは、ステップＳＣ−２２にて制御部４０２により経路情報が登録されたと判定された場合（ステップＳＣ−２２：Ｙｅｓ）、移動スケジュール生成部４０２ｅにより生成された移動スケジュールに含まれる当該経路情報、および、地図情報データベース４０６ｄに記憶された、案内経路を含む地図に関する地図情報を含む経路案内情報を生成する（ステップＳＣ−２３）。
【０２９５】
そして、スケジュール領域生成部４０２ｇは、移動スケジュール生成部４０２ｅにより生成された移動スケジュールを示す移動スケジュール領域を生成する（ステップＳＣ−２４）。
【０２９６】
そして、スケジュール領域表示部４０２ｈは、コンボボックスをポップアップ表示させている場合、当該ポップアップ表示を消し、更に、スケジュール間領域上に、移動スケジュール領域を重畳して表示部４１４に表示させる（ステップＳＣ−２５）。ここで、スケジュール領域表示部４０２ｈは、移動スケジュール領域を、所要時間が平均値となる移動スケジュールの場合の表示サイズで表示部４１４に表示させてもよい。また、スケジュール領域表示部４０２ｈは、移動スケジュール領域を、所要時間が最大値となる移動スケジュールの場合の表示サイズで表示部４１４に表示させてもよい。また、スケジュール領域表示部４０２ｈは、移動スケジュール領域を、所要時間が最小値となる移動スケジュールの場合の表示サイズで表示部４１４に表示させてもよい。また、スケジュール領域表示部４０２ｈは、移動スケジュール領域を、複数に分割させて表示部４１４に表示させてもよい。また、スケジュール領域表示部４０２ｈは、更に、所要時間が最小となる移動スケジュールを示す移動スケジュール領域を表示部４１４に表示させてもよい。また、スケジュール領域表示部４０２ｈは、利用者により入力部４１８を介して、経路案内開始要求が入力された場合、経路案内情報生成部４０２ｆにより生成された経路案内情報、および、現在位置情報取得部４０２ａにより取得されたスケジュール管理装置４００の利用者の現在位置情報を表示部４１４に表示させることにより、経路案内を実行してもよい。また、スケジュール領域表示部４０２ｈは、表示に対応した音声情報（経路案内情報に含まれる音声案内情報等）を音声出力部４１６を介して出力させてもよい。
【０２９７】
そして、制御部４０２は、利用者により入力部４１８を介して、表示部４１４に表示された移動スケジュール領域が選択されたか否か判定する（ステップＳＣ−２６）。
【０２９８】
そして、制御部４０２は、ステップＳＣ−２６にて移動スケジュール領域が選択されていないと判定した場合（ステップＳＣ−２６：Ｎｏ）、処理をステップＳＣ−５に移行させる。
【０２９９】
一方、スケジュール領域表示部４０２ｈは、ステップＳＣ−２６にて制御部４０２により移動スケジュール領域が選択されたと判定された場合（ステップＳＣ−２６：Ｙｅｓ）、更に、当該移動スケジュール領域上に、当該移動スケジュール領域の移動方向を示す矢印情報を重畳して表示部４１４に表示させる（ステップＳＣ−２７）。
【０３００】
そして、制御部４０２は、利用者により入力部４１８を介して、表示部４１４に表示された移動スケジュール領域に対する表示位置変更指示が入力されたか否か判定する（ステップＳＣ−２８）。ここで、表示位置変更指示は、交通情報データベース４０６ｃに記憶された時刻表情報に含まれる交通機関の出発時刻または到着時刻に対応する表示位置への変更指示であってもよい。
【０３０１】
そして、制御部４０２は、ステップＳＣ−２８にて移動スケジュール領域に対する表示位置変更指示が入力されていないと判定した場合（ステップＳＣ−２８：Ｎｏ）、矢印情報の表示を消し、処理をステップＳＣ−５に移行させる。
【０３０２】
一方、変更要求取得部４０２ｋは、ステップＳＣ−２８にて制御部４０２により移動スケジュール領域に対する表示位置変更指示が入力されたと判定された場合（ステップＳＣ−２８：Ｙｅｓ）、矢印情報の表示を消し、当該表示位置変更指示に基づき、移動スケジュールの変更要求を取得する（ステップＳＣ−２９）。ここで、変更要求取得部４０２ｋは、制御部４０２により移動スケジュール領域に対する表示位置変更指示が入力されたと判定された場合、当該表示位置変更指示に基づく移動スケジュール領域の移動方向、および、変更後表示位置に応じて、移動スケジュールの出発時刻、または、到着時刻を指定する変更要求を取得してもよい。また、変更要求取得部４０２ｋは、入力部４１８を介して表示部４１４にポップアップ表示されたダイアログボックスに対して移動スケジュールの再探索指示が入力された場合、当該再探索指示に基づく移動スケジュールの変更要求を取得してもよい。
【０３０３】
そして、移動スケジュール再生成部４０２ｍは、変更要求取得部４０２ｋにより取得された移動スケジュールの変更要求に基づき、表示部４１４に表示された移動スケジュール領域に基づく移動スケジュールとは異なる、２つのイベントスケジュールに含まれる位置情報に基づく２つのイベントの場所を出発地および目的地として、当該出発地から当該目的地までの案内経路を、交通情報データベース４０６ｃに記憶された交通情報に基づいて、ネットワーク情報データベース４０６ｂに記憶されたネットワーク情報を用いて探索し、当該案内経路に関する経路情報を含む移動スケジュールを生成する（ステップＳＣ−３０）。
【０３０４】
そして、経路案内情報生成部４０２ｆは、移動スケジュール再生成部４０２ｍにより生成された移動スケジュールに含まれる経路情報、および、地図情報データベース４０６ｄに記憶された、案内経路を含む地図に関する地図情報を含む経路案内情報を生成する（ステップＳＣ−３１）。
【０３０５】
そして、スケジュール領域生成部４０２ｇは、移動スケジュール再生成部４０２ｍにより生成された移動スケジュールを示す移動スケジュール領域を生成し（ステップＳＣ−３２）、処理をステップＳＣ−２５に移行させる。
【０３０６】
一方、スケジュール領域表示部４０２ｈは、ステップＳＣ−５にて制御部４０２によりイベントスケジュール領域と、移動スケジュール領域と、が重なって表示されていると判定された場合（ステップＳＣ−５：Ｙｅｓ）、更に、移動スケジュールを再探索するか否か問うダイアログボックスを表示部４１４にポップアップ表示させる（ステップＳＣ−６）。
【０３０７】
そして、制御部４０２は、利用者により入力部４１８を介して、表示部４１４にポップアップ表示されたダイアログボックスに対して移動スケジュールの再探索指示が入力されたか否か判定する（ステップＳＣ−７）。
【０３０８】
そして、制御部４０２は、ステップＳＣ−７にて移動スケジュールの再探索指示が入力されたと判定した場合（ステップＳＣ−７：Ｙｅｓ）、当該ダイアログボックスのポップアップ表示を消し、処理をステップＳＣ−２９に移行させる。
【０３０９】
一方、制御部４０２は、ステップＳＣ−７にて移動スケジュールの再探索指示が入力されていないと判定した場合（ステップＳＣ−７：Ｎｏ）、当該ダイアログボックスのポップアップ表示を消し、処理をステップＳＣ−８に移行させる。
【０３１０】
以上で、第３の実施形態におけるスケジュール管理装置４００の処理の一例の説明を終える。
【０３１１】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０３１２】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０３１３】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０３１４】
また、端末装置１００、スケジュール管理サーバ２００、および、スケジュール管理装置４００に関して、図示の各構成要素は機能概念的なものであり、必ずしも物理的に図示の如く構成されていることを要しない。
【０３１５】
例えば、端末装置１００、スケジュール管理サーバ２００、および、スケジュール管理装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、スケジュール管理サーバ２００、および、スケジュール管理装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０３１６】
また、このコンピュータプログラムは、端末装置１００、スケジュール管理サーバ２００、および、スケジュール管理装置４００に対して任意のネットワーク３００を介して接続されたアプリケーションプログラムサーバに記憶されていてもよく、必要に応じてその全部または一部をダウンロードすることも可能である。
【０３１７】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０３１８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０３１９】
記憶部１０６、記憶部２０６、および、記憶部４０６に格納される各種のデータベース等（出力情報ファイル１０６ａ、スケジュールデータベース２０６ａ、ネットワーク情報データベース２０６ｂ、交通情報データベース２０６ｃ、地図情報データベース２０６ｄ、案内情報データベース２０６ｅ、スケジュールデータベース４０６ａ、ネットワーク情報データベース４０６ｂ、交通情報データベース４０６ｃ、地図情報データベース４０６ｄ、および、案内情報データベース４０６ｅ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０３２０】
また、端末装置１００、スケジュール管理サーバ２００、および、スケジュール管理装置４００は、既知のパーソナルコンピュータ、ワークステーション等の情報処理装置として構成してもよく、また、該情報処理装置に任意の周辺装置を接続して構成してもよい。また、端末装置１００、スケジュール管理サーバ２００、および、スケジュール管理装置４００は、該情報処理装置に本発明の方法を実現させるソフトウェア（プログラム、データ等を含む）を実装することにより実現してもよい。
【０３２１】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０３２２】
以上詳述したように、本発明によれば、移動用のスケジュールをユーザが容易に編集できるスケジュール管理装置、スケジュール管理システム、スケジュール管理サーバ、スケジュール管理方法、および、プログラムを提供することができるので、ナビゲーションを支援する情報機器や情報処理分野などの様々な分野において極めて有用である。
【符号の説明】
【０３２３】
１００  端末装置
１０２  制御部
１０２ａ  現在位置情報取得部
１０２ｂ  スケジュール送信部
１０２ｃ  移動スケジュール生成要求送信部
１０２ｄ  スケジュール領域受信部
１０２ｅ  スケジュール領域表示部
１０２ｆ  編集要求取得部
１０２ｇ  編集要求送信部
１０２ｈ  変更要求取得部
１０２ｉ  変更要求送信部
１０４  通信制御インターフェース部
１０６  記憶部
１０６ａ  出力情報ファイル
１０８  入出力制御インターフェース部
１１２  位置取得部
１１４  表示部
１１６  音声出力部
１１８  入力部
２００  スケジュール管理サーバ
２０２  制御部
２０２ａ  スケジュール受信部
２０２ｂ  スケジュール登録部
２０２ｃ  移動スケジュール生成要求受信部
２０２ｄ  移動スケジュール生成部
２０２ｅ  経路案内情報生成部
２０２ｆ  スケジュール領域生成部
２０２ｇ  スケジュール領域送信部
２０２ｈ  編集要求受信部
２０２ｉ  編集部
２０２ｊ  変更要求受信部
２０２ｋ  移動スケジュール再生成部
２０２ｍ  現在位置情報取得部
２０２ｎ  表示情報生成部
２０２ｐ  出力制御部
２０２ｑ  編集要求取得部
２０２ｒ  変更要求取得部
２０４  通信制御インターフェース部
２０６  記憶部
２０６ａ  スケジュールデータベース
２０６ｂ  ネットワーク情報データベース
２０６ｃ  交通情報データベース
２０６ｄ  地図情報データベース
２０６ｅ  案内情報データベース
３００  ネットワーク
４００  スケジュール管理装置
４０２  制御部
４０２ａ  現在位置情報取得部
４０２ｂ  スケジュール取得部
４０２ｃ  スケジュール登録部
４０２ｄ  移動スケジュール生成要求取得部
４０２ｅ  移動スケジュール生成部
４０２ｆ  経路案内情報生成部
４０２ｇ  スケジュール領域生成部
４０２ｈ  スケジュール領域表示部
４０２ｉ  編集要求取得部
４０２ｊ  編集部
４０２ｋ  変更要求取得部
４０２ｍ  移動スケジュール再生成部
４０６  記憶部
４０６ａ  スケジュールデータベース
４０６ｂ  ネットワーク情報データベース
４０６ｃ  交通情報データベース
４０６ｄ  地図情報データベース
４０６ｅ  案内情報データベース
４０８  入出力制御インターフェース部
４１２  位置取得部
４１４  表示部
４１６  音声出力部
４１８  入力部
５００  位置発信装置
【図１】
0005889588.tif 000002
【図２】
0005889588.tif 000003
【図３】
0005889588.tif 000004
【図４】
0005889588.tif 000005
【図５】
0005889588.tif 000006
【図６】
0005889588.tif 000007
【図７】
0005889588.tif 000008
【図８】
0005889588.tif 000009
【図９】
0005889588.tif 000010
【図１０】
0005889588.tif 000011
【図１１】
0005889588.tif 000012
【図１２】
0005889588.tif 000013
【図１３】
0005889588.tif 000014
【図１４】
0005889588.tif 000015
【図１５】
0005889588.tif 000016
【図１６】
0005889588.tif 000017
【図１７】
0005889588.tif 000018
【図１８】
0005889588.tif 000019
【図１９】
0005889588.tif 000020
【図２０】
0005889588.tif 000021